(57)【要約】ワイパ要素のための結合器と接続するアダプタは、異なるワイパアームスタイルを各々が有する複数の異なるワイパアームと接続するように構成されている。アダプタは、複数の異なるワイパアームの各々の遠位端または遠位端特徴を受け取るための空洞および開口部を有するワンピース本体またはマルチピース本体であり得る。アダプタは、複数の異なるワイパアームの各々の遠位端上の開口部、切り欠き、または他の構成要素と係合するための異なるタブを含むこともできる。
2021514325.tif 000002
【特許請求の範囲】
【請求項１】
ワイパ要素と接続された結合器と接続するためのアダプタであって、前記アダプタは、複数の異なるワイパアームの各々の遠位端または遠位端特徴を受け取るための空洞および開口部を有する本体を備え、前記複数の異なるワイパアームの各々は、異なるワイパアームスタイルを有する、アダプタ。
【請求項２】
前記本体は、上側本体および下側本体を含み、前記上側本体と前記下側本体とは、前記アダプタの近位端から前記アダプタの遠位端に向かって延びている前記空洞を協働して画定し、前記空洞は、前記アダプタの前記近位端を通して標準フックワイパアームおよび大型フックワイパアームを選択的に受け取るように構成され、前記下側本体は、前記大型フックワイパアームに選択的に係合する第１の下側タブと、前記標準フックワイパアームに選択的に係合する第２の下側タブとを含む、請求項１に記載のアダプタ。
【請求項３】
前記第２の下側タブは、前記アダプタの平面図において前記第１の下側タブと前記アダプタの前記遠位端との間にある、請求項２に記載のアダプタ。
【請求項４】
前記本体は、前記上側本体と前記下側本体との間に位置付けられた内側本体をさらに備え、前記内側本体は、互いに反対側にある内側本体内部表面および内側本体外部表面を伴う内側凸部と、前記内側凸部の方に面する外側凸部内部表面および前記内側凸部から離れる方に面する外側凸部外部表面を伴う外側凸部と、前記内側凸部と前記外側凸部とを一緒に接続する交差部材とを含み、前記内側凸部および前記外側凸部は、前記交差部材から前記近位端に向かって延びている、請求項３に記載のアダプタ。
【請求項５】
前記内側凸部の前記内部表面から内向きに延びている内側凸部内側突起と、前記外側凸部の前記内部表面から前記内側凸部内側突起に向かって内向きに延びている外側凸部内側突起とをさらに備えている、請求項４に記載のアダプタ。
【請求項６】
前記外側凸部は、分岐スロットを画定し、前記分岐スロットは、前記外側凸部の固定部分とフィンガ部分とを作成し、前記外側凸部の前記フィンガ部分は、弾性的に変形可能である、請求項４に記載のアダプタ。
【請求項７】
前記アダプタは、前記近位端と前記遠位端との間に延びている縦軸を画定し、前記内側凸部内側突起および前記外側凸部内側突起は、前記アダプタの平面図において前記縦軸に沿って前記第１の下側タブと前記第２の下側タブとの間に配置されている、請求項５に記載のアダプタ。
【請求項８】
前記上側本体は、内側壁区分と、外側壁区分と、前記内側壁区分と前記外側壁区分との間に架かる上壁区分とを含み、略逆Ｕ字形構成を画定し、前記上壁区分は、切り抜きを画定し、前記内側壁区分と前記外側壁区分とは、一対の整列させられた上側横開口部を協働して画定し、前記切り抜きおよび前記一対の整列させられた上側横開口部は、サイドピンワイパアームおよびサイドピンオフセットワイパアームを前記アダプタに接続するために、前記サイドピンワイパアームおよび前記サイドピンオフセットワイパアームと協働する、請求項４に記載のアダプタ。
【請求項９】
前記内側本体の前記内側凸部は、内側凸部近位開口部を画定し、前記内側本体の前記外側凸部は、外側凸部近位開口部を画定し、前記外側壁区分は、サイドロック２５０ワイパアームを受け取るために、前記内側凸部近位開口部および前記外側凸部近位開口部と位置合わせされた近位横開口部を画定する、請求項８に記載のアダプタ。
【請求項１０】
前記アダプタは、前記内側凸部近位開口部と前記外側凸部近位開口部との間に延びている横軸を画定し、前記上壁区分は、前記平面図において前記横軸に沿って配置された横タブを含み、前記横タブは、前記サイドロック２５０ワイパアームに係合し、前記サイドロック２５０ワイパアームを前記アダプタに接続する、請求項９に記載のアダプタ。
【請求項１１】
前記上側本体は、内側壁区分と、外側壁区分と、前記内側壁区分と前記外側壁区分との間に架かる上壁区分とを含み、略逆Ｕ字形構成を画定し、前記上壁区分は、第１の近位端スロットおよび第２の近位端スロットを画定し、前記第１の近位端スロットおよび第２の近位端スロットの各々は、前記近位端から前記遠位端に向かって縦方向に延び、上側近位タブを画定し、近位返しが、前記上側近位タブから前記下側本体に向かって下向きに延び、押しボタン１９ｍｍワイパアーム、押しボタン２２ｍｍアーム、押しボタン２２ｍｍ短ワイパアーム、およびｆｚワイパアームに係合し、前記押しボタン１９ｍｍワイパアーム、前記押しボタン２２ｍｍアーム、前記押しボタン２２ｍｍ短ワイパアーム、および前記ｆｚワイパアームを前記アダプタに接続する、請求項４に記載のアダプタ。
【請求項１２】
前記内側本体に弾性的に取り付けられたウェッジをさらに備え、前記ウェッジは、前記内側本体と前記押しボタン２２ｍｍアームおよび前記押しボタン２２ｍｍ短ワイパアームとの間で側方に配置されている、請求項１１に記載のアダプタ。
【請求項１３】
前記ウェッジは、前記上側本体の前記内側壁区分に向かって前記押しボタン２２ｍｍアームおよび前記押しボタン２２ｍｍ短ワイパアームに側方付勢力を及ぼすために、前記アダプタの前記近位端から前記アダプタの前記遠位端に向かって、前記内側本体の前記内側凸部の前記外部表面から延びている、請求項１２に記載のアダプタ。
【請求項１４】
前記内側本体に弾性的に取り付けられたウェッジをさらに備え、前記ウェッジは、前記上側本体の前記内側壁と前記押しボタン１９ｍｍワイパアームおよび前記ｆｚワイパアームとの間で側方に配置されている、請求項１１に記載のアダプタ。
【請求項１５】
前記ウェッジは、前記内側本体の前記内側凸部の前記外部表面に向かって前記押しボタン１９ｍｍワイパアームおよび前記ｆｚワイパアームに側方付勢力を及ぼすために、前記アダプタの前記近位端から前記アダプタの前記遠位端に向かって、前記内側本体の前記内側凸部の前記外部表面から延びている、請求項１４に記載のアダプタ。
【請求項１６】
前記上側本体は、内側壁区分と、外側壁区分と、前記内側壁区分と前記外側壁区分との間に架かる上壁区分とを含み、略逆Ｕ字形構成を画定し、前記上壁区分は、第１の遠位スロットおよび第２の近位スロットを画定し、前記第１の遠位スロットおよび第２の近位スロットの各々は、前記遠位端から前記近位端に向かって縦方向に延び、上側遠位タブを画定し、遠位返しが、前記上側遠位タブから前記下側本体に向かって下向きに延び、ピンチタブワイパアームに係合し、前記ピンチタブワイパアームを前記アダプタに接続する、請求項４に記載のアダプタ。
【請求項１７】
前記内側本体に弾性的に取り付けられたウェッジをさらに備え、前記ウェッジは、前記上側本体の前記内側壁と前記ピンチタブワイパアームとの間で側方に配置され、前記ウェッジは、前記内側本体の前記内側凸部の前記外部表面に向かって前記ピンチタブワイパアームに側方付勢力を及ぼすために、前記アダプタの前記近位端から前記アダプタの前記遠位端に向かって、前記内側本体の前記内側凸部の前記外部表面から延びている、請求項１６に記載のアダプタ。
【請求項１８】
前記内側本体の交差部材から延びている下側遠位タブをさらに備え、前記上側本体は、内側壁区分と、外側壁区分と、前記内側壁区分と前記外側壁区分との間に架かる上壁区分とを含み、略逆Ｕ字形構成を画定し、下側遠位返しが、前記上側本体の前記上壁区分から離れるように前記下側遠位タブから延び、前記下側本体は、下側横開口部を画定し、前記下側横開口部は、前記下側遠位タブと協働し、サイドロック１８８ワイパアームを前記アダプタと接続する、請求項４に記載のアダプタ。
【請求項１９】
ワイパ要素をアダプタと接続する結合器であって、前記結合器は、
前記結合器および前記関連付けられたアダプタを一緒に旋回可能に接続するポストであって、前記ポストは、旋回軸を画定し、前記関連付けられたアダプタは、前記旋回軸の周りで旋回し、前記ポストは、前記旋回軸に直交する面において長円形断面を画定する、ポストと、
前記関連付けられたアダプタに面しているアダプタ接面を含む後壁と
を備え、
前記アダプタ接面は、前記ポストの前記旋回軸に略直交する、結合器。
【請求項２０】
前記ポストは、第１のポスト部分と第２のポスト部分とを含み、前記第１のポスト部分および前記第２のポスト部分は、前記旋回軸上に配置されるが、互いに側方に間隔を置かれている、請求項１９に記載の結合器。
【請求項２１】
前記ポストは、前記旋回軸に直交する面において長円形断面を画定し、一対の平面によって分離された一対の曲面を含む、請求項１９に記載の結合器。
【請求項２２】
前記後壁に略直交する基礎表面を伴う基礎壁と、前記結合器の前記アダプタ接面から前記関連付けられたアダプタに向かって延びている限界レッジとをさらに含む、請求項２１に記載の結合器。
【請求項２３】
前記結合器は、前記旋回軸の周りで前記基礎表面から前記限界レッジに及ぶ第１の夾角と、第２の夾角とを画定し、前記第２の夾角は、前記基礎表面から、前記旋回軸を通して延び、前記ポストの前記対の平面と平行である線に及び、前記第２の夾角は、前記第１の夾角より大きい、請求項２２に記載の結合器。
【請求項２４】
前記第２の夾角は、９０度に等しい、請求項２３に記載の結合器。
【請求項２５】
ワイパセットであって、前記ワイパセットは、
少なくとも１つのワイパアームを受け取るように構成されたアダプタであって、前記アダプタは、アダプタ取り付けマウント含み、前記アダプタ取り付けマウントは、略平行な進入通路側壁によって画定される進入通路であって、前記略平行な進入通路側壁は、前記進入通路側壁の間に延びている進入通路幅を画定する、進入通路と、旋回通路とを有し、前記旋回通路は、前記進入通路側壁の中に終端する優弧を有する旋回通路側壁によって画定され、前記進入通路側壁と流体連通する、アダプタと、
前記アダプタを旋回可能に受け取る結合器と
を備え、
前記結合器は、旋回軸を画定するポストであって、前記アダプタは、前記旋回軸の周りで旋回する、ポストと、前記アダプタに面するアダプタ接面を含む後壁とを含む、
ワイパセット。
【請求項２６】
前記進入通路は、前記結合器をスライドして受け取るように構成され、前記旋回通路は、前記結合器を旋回可能に受け取るように構成されている、請求項２５に記載のワイパセット。
【請求項２７】
前記旋回通路の前記優弧は、前記進入通路幅より大きい旋回通路直径を画定する、請求項２５に記載のワイパセット。
【請求項２８】
前記ポストは、前記旋回軸に直交する面において長円形断面を画定し、一対の平面によって分離された一対の曲面を含み、前記ワイパセットは、前記ポストが前記進入通路の中に受け取られ、アダプタが旋回可能でないときの据え付けモードと、前記ポストが前記旋回通路の中に受け取られ、前記アダプタが旋回可能であるときの動作モードとを画定する、請求項２５に記載のワイパセット。
【請求項２９】
前記アダプタと前記結合器とが互いに分離可能である分離可能段階と、前記アダプタと前記結合器とが互いに分離可能でない非除去可能段階とに前記動作モードを分割するために、前記アダプタのストップ部材と接触するために前記結合器の前記アダプタ接面から前記アダプタに向かって延びている限界レッジをさらに含む、請求項２８に記載のワイパセット。
【請求項３０】
前記結合器は、前記アダプタの受け取りのためのくぼみを含み、前記くぼみは、床と、前記結合器の反対側の縦端に配置された近位壁および遠位壁と、前記結合器の反対側の側方端に配置された前壁および前記後壁とによって境を限られている、請求項２５に記載のワイパセット。
【請求項３１】
前記結合器の前記ポストは、前記旋回軸上に配置され、互いに側方に間隔を置かれた第１のポスト部分および第２のポスト部分を含み、前記結合器は、前記床から上向きに延びているストップウィングをさらに含み、前記ストップウィングは、前記前壁、前記後壁、前記近位壁、および前記遠位壁から間隔を置かれ、前記ストップウィングは、前記結合器の平面図において前記第１のポスト部分と前記第２のポスト部分との間で側方に配置され、それらから間隔を置かれている、請求項３０に記載のワイパセット。
【請求項３２】
前記アダプタの前記アダプタ取り付けマウントは、前記アダプタの反対側の側方端に配置された内部アダプタ取り付けマウントおよび外側取り付けマウントを含み、前記内側取り付けマウントおよび前記外側取り付けマウントは、それぞれ、前記結合器の前記第２のポスト部分および前記第１のポスト部分に係合するように構成され、前記アダプタは、前記ストップウィングとの係合のために前記アダプタの底壁区分から下向きに延びているストップ部材を含む、請求項３１に記載のワイパセット。
【請求項３３】
前記アダプタの前記ストップ部材は、前記内側取り付けマウントと前記外側取り付けマウントとの間で側方に配置され、前記ストップ部材は、前記ストップウィングと相互作用し、前記結合器に対する前記アダプタのための克服可能な旋回停止を戻り止め様式で提供する、請求項３２に記載のワイパセット。
【発明の詳細な説明】
【背景技術】
【０００１】
車両製造業者は、種々のフロントガラスワイパアームおよびワイピング要素を利用する。理解されるであろうように、ワイピング要素は、時間と共に磨耗し、交換を要求する。しかしながら、ワイパアームの多様性に起因して、エンドユーザは、エンドユーザの車両のワイパアームと適合性がある適切なワイピング要素が選択されることを確実にするために圧倒的な数の選択肢に直面している。したがって、エンドユーザが、エンドユーザの車両上に存在するワイパアームのタイプから独立した種々のワイピング要素を利用することを可能にするアダプタおよび結合器の必要性がある。
【発明の概要】
【課題を解決するための手段】
【０００２】
前述に照らして、アダプタは、ワイパ要素と接続された結合器と接続する。アダプタは、各々が異なるワイパアームスタイルを有する複数の異なるワイパアームの各々の遠位端または遠位端特徴を受け取るための空洞および開口部を有する本体を含む。
【０００３】
別の側面によると、結合器は、ワイパ要素をアダプタと接続し、結合器は、それの周りで関連付けられたアダプタが旋回する旋回軸を画定するように、結合器および関連付けられたアダプタを一緒に旋回可能に接続するポストを含む。ポストは、旋回軸に直交する面において長円形断面を画定する。結合器は、関連付けられたアダプタに面し、ポストの旋回軸に略直交するアダプタ接面を含む後壁も含む。
【０００４】
別の側面によると、ワイパセットは、少なくとも１つのワイパアームを受け取るように構成されたアダプタを含む。アダプタは、進入通路側壁の間に延びている進入通路幅を画定する略平行な進入通路側壁によって画定される進入通路と、進入通路側壁と流体連通するように進入通路側壁の中に終端する優弧を有する旋回通路側壁によって画定される旋回通路とを有するアダプタ取り付けマウントを含む。ワイパセットは、アダプタを旋回可能に受け取る結合器も含む。結合器は、それの周りでアダプタが旋回する旋回軸を画定するポストと、アダプタに面するアダプタ接面を含む後壁とを含む。
【図面の簡単な説明】
【０００５】
【図１】図１は、複数のワイパアームおよび結合器を伴うフロントガラスワイパアセンブリの斜視図である。
【０００６】
【図２Ａ】図２Ａは、動作モードの非除去可能段階におけるワイパセットの斜視図である。
【０００７】
【図２Ｂ】図２Ｂは、第１の夾角（ｉｎｃｌｕｓｉｖｅ  ａｎｇｌｅ）を示す互いに分離された結合器およびアダプタの斜視図である。
【０００８】
【図２Ｃ】図２Ｃは、ワイパセットの斜視図である。
【０００９】
【図２Ｄ】図２Ｄは、据え付けモードにおけるワイパセットの部分斜視図である。
【００１０】
【図２Ｅ】図２Ｅは、動作モードの除去可能段階におけるワイパセットの斜視図である。
【００１１】
【図２Ｆ】図２Ｆは、代替ワイパセットの斜視図である。
【００１２】
【図２Ｇ】図２Ｇは、代替結合器の斜視図である。
【００１３】
【図２Ｈ】図２Ｈは、代替アダプタの斜視図である。
【００１４】
【図２Ｉ】図２Ｉは、最長寸法と平行な面に沿ってストップ壁を通して得られた図２Ｈの代替アダプタの前端部分の断面図である。
【００１５】
【図２Ｊ】図２Ｊは、最長寸法と平行な面に沿ってストップウィングを通して得られた図２Ｇの代替結合器の断面図である。
【００１６】
【図３】図３は、図１のアダプタの分解正面斜視図である。
【００１７】
【図４】図４は、図１のアダプタの分解後面斜視図である。
【００１８】
【図５】図５は、アダプタ下側本体およびアダプタ内側本体の平面図である。
【００１９】
【図６】図６は、アダプタ上側本体の底面斜視図である。
【００２０】
【図７】図７は、アダプタの上側遠位端斜視図である。
【００２１】
【図８】図８は、図７に示されるアダプタの上側近位端斜視図である。
【００２２】
【図９】図９は、図７に示されるアダプタの分解斜視図である。
【００２３】
【図１０】図１０は、図９に示されるアダプタの反対側を示す別の分解斜視図である。
【００２４】
【図１１】図１１は、アダプタの斜視図である。
【００２５】
【図１２】図１２は、図１１のアダプタの分解斜視図である。
【００２６】
【図１３】図１３は、図１１のアダプタの下側本体の上面図である。
【００２７】
【図１４】図１４は、図１１のアダプタの上側本体の底面図である。
【００２８】
【図１５】図１５は、アダプタの正面斜視図である。
【００２９】
【図１６】図１６は、図１５のアダプタの底正面斜視図である。
【００３０】
【図１７】図１７は、図１５のアダプタの底後面斜視図である。
【００３１】
【図１８】図１８は、アダプタの正面斜視図である。
【００３２】
【図１９】図１９は、図１８のアダプタの底正面斜視図である。
【００３３】
【図２０】図２０は、図１８のアダプタの底後面斜視図である。
【発明を実施するための形態】
【００３４】
図１は、車両（図示せず）のガラスフロントガラスを清掃するために有用なフロントガラスワイパアセンブリ２０を描写する。フロントガラスワイパアセンブリ２０は、概して、エアフォイルに搭載されるワイピング要素２２を含み、エアフォイルは、遠位エアフォイル２４および近位エアフォイル２６を含み得る。近位エアフォイル２６は、ワイパモータ（図示せず）のより近くに位置付けられ、ワイパモータは、フロントガラスワイパアセンブリ２０を駆動し、フロントガラスを横断してフロントガラスワイパアセンブリ２０を移動させる。遠位エアフォイル端部キャップ２８は、遠位エアフォイル２４の遠位端に取り付けられる。近位エアフォイル端部キャップ３２は、近位エアフォイル２６の近位端に取り付けられる。ワイパセット３１は、結合器３４と、アダプタ５０とを含むことができる。
【００３５】
図１はまた、押しボタン１９ｍｍワイパアーム５２と、標準フックワイパアーム５４と、ピンチタブワイパアーム５６と、押しボタン２２ｍｍ短ワイパアーム５８と、押しボタン２２ｍｍワイパアーム６０と、サイドロック１８８ワイパアーム６２と、サイドピンワイパアーム６４と、大型フックワイパアーム６６と、サイドピンオフセットワイパアーム６８と、ｆｚワイパアーム６９と、サイドロック２５０ワイパアーム７１とを含む種々のワイパアームも図示する。結合器３４は、遠位エアフォイル２４と近位エアフォイル２６との間の中間位置に沿って配置され、それらと接続される。ばね（不可視）が、フロントガラスに向かってワイピング要素を押しやるように、エアフォイル２４、２６とワイピング要素２２との間に提供されることができる。
【００３６】
図２Ａ−２Ｅを参照すると、結合器３４は、アダプタ接面３８を画定する後壁３６を含む。結合器３４は、一体的に形成されたポスト３５であり得るアダプタ取り付け部も含む。ポスト３５は、結合器３４とアダプタ５０との間の旋回接続を可能にする。ポストは、旋回軸３７を画定し、関連付けられたアダプタ５０が、それの周りで旋回する。さらに、ポスト３５は、旋回軸３７に直交する面において長円形断面を画定することができる。
【００３７】
結合器３４の後壁３６は、旋回軸３７に略直交し得る。ポストは、旋回軸３７上に配置され、互いに側方に間隔を置かれ得る第１のポスト部分３５ａと第２のポスト部分３５ｂとを含むことができる。ポスト３５は、一対の平面４５ａ、４５ｂによって分離された一対の曲面４３ａ、４３ｂを含むこともできる。
【００３８】
結合器３４は、後壁３６に略直交する基礎表面４７ａを伴う基礎壁４７も含むこともできる。結合器３４は、以降でより詳細に説明されるであろうように、アダプタ５０のストップ部材５１と接触するためにアダプタ接面４１からアダプタ５０に向かって延びている限界レッジ４９も含むことができる。
【００３９】
結合器３４は、旋回軸３７周りで基礎表面４７ａから限界レッジ４９まで延びている第１の夾角５３と、旋回軸３７を通して延び、ポスト３５の一対の平面４５ａ、４５ｂと平行である線まで基礎表面４７ａから延びている第２の夾角５５とを画定することができる。第２の夾角５５は、第１の夾角５３より大きくあり得、９０度に等しくあり得る。
【００４０】
アダプタ５０は、本開示の範囲から逸脱することなく、例えば、プラスチックおよびポリマーの種々の混成物を含む種々の材料から作製されることができる。加えて、アダプタ５０が、例えば、３−Ｄ印刷および射出成形を含む種々のプロセスによっても作製され得ることを理解されたい。アダプタ５０に関する以下の議論が、同様に以降でより詳細に説明されるであろうように、第２のアダプタ１０５０、第３のアダプタ２０５０、第４のアダプタ３０５０、および第５のアダプタ４０５０にも適用可能であることも理解されたい。
【００４１】
アダプタ５０は、進入通路５９を有するアダプタ取り付けマウント５７を含むことができ、進入通路５９は、略平行な進入通路側壁５９ａ、５９ｂによって画定され、進入通路側壁５９ａ、５９ｂは、進入通路側壁５９ａ、５９ｂ間に広がっている進入通路幅を画定する。アダプタ５０は、旋回通路６１を含むこともでき、旋回通路６１は、優弧を有する旋回通路側壁６１によって画定され、優弧は、進入通路側壁５９ａ、５９ｂの中に終端し、旋回通路６１は、進入通路側壁５９ａ、５９ｂと流体連通する。旋回通路６１の優弧は、進入通路幅より大きい旋回通路直径を画定する。進入通路５９は、結合器３４をスライドして受け取るように構成され、旋回通路６１は、結合器３４を旋回可能に受け取るように構成される。
【００４２】
図２Ｄに示されるように、ワイパセット３１は、ポスト３５が進入通路５９の中に受け取られ、アダプタ５０が旋回可能でないときの据え付けモードを画定する。ワイパセットはまた、図２Ａおよび２Ｅに図示されるように、ポスト３５が旋回通路６１の中に受け取られ、アダプタ５０が旋回可能であるときの動作モードも画定する。
【００４３】
結合器３４の限界レッジ４９とアダプタ５０のストップ部材５１とは、互いに相互作用し、図２Ｅに示されるようなアダプタ５０と結合器３４とが互いに分離可能である分離可能段階と、図２Ａに図示されるようなアダプタ５０と結合器３４とが互いに分離可能でない非除去可能段階とに動作モードを分割する。
【００４４】
アダプタ５０は、近位端７０および遠位端７２を有するワンピース本体であり得る。図２Ａ−２Ｅを継続して参照すると、アダプタ５０の近位端７０は、空洞７４に開かれている。遠位端７２は、曲線状であり、主に閉じられている。アダプタ５０は、近位端７０と遠位端７２との間に延びている縦軸６３を画定する。
【００４５】
図３−６を参照すると、アダプタ５０は、後に説明されるであろう複数の取り付け要素を含み、ワイパアーム５２−７１（図１に示される）の各々がアダプタ５０と接続することを可能にする。アダプタ５０は、押しボタン１９ｍｍワイパアーム５２、押しボタン２２ｍｍ短ワイパアーム５８、押しボタン２２ｍｍワイパアーム６０、およびｆｚワイパアーム６９と協働し、これらのワイパアーム５２、５８、６０、および６９の各々をアダプタ５０に接続する上側近位タブ７６を含む。
【００４６】
アダプタ５０はまた、ピンチタブワイパアーム５６をアダプタ５０と接続するためにピンチタブワイパアーム５６と協働する上側遠位タブ７８も含む。アダプタ５０は、サイドピンワイパアーム６４およびサイドピンオフセットワイパアーム６８をアダプタ５０に接続するために、サイドピンワイパアーム６４およびサイドピンオフセットワイパアーム６８と協働する切り抜き８２および一対の整列させられた上側横開口部８６も含む。アダプタ５０は、大型フックワイパアーム６６と協働し、大型フックワイパアーム６６をアダプタ５０と選択的に接続する第１の下側タブ９０を含む。
【００４７】
アダプタ５０は、標準フックワイパアーム５４と協働し、標準フックワイパアーム５４をアダプタ５０と選択的に接続する第２の下側タブ９２も含む。アダプタ５０は、垂直中心遠位端タブ９６および垂直下側遠位端タブ９８と協働し、サイドロック１８８ワイパアーム６２をアダプタ５０と接続する下側横開口部９４も含む。アダプタ５０は、横タブ９７と協働し、サイドロック２５０ワイパアーム７１をアダプタ５０と接続する近位横開口部９５も含む。
【００４８】
空洞７４は、押しボタン１９ｍｍワイパアーム５２、標準フックワイパアーム５４、ピンチタブワイパアーム５６、押しボタン２２ｍｍ短ワイパアーム５８、押しボタン２２ｍｍワイパアーム６０、サイドピンワイパアーム６４、大型フックワイパアーム６６、サイドピンオフセットワイパアーム６８、およびｆｚワイパアーム６９を受け取るように適切に寸法を決定される。整列させられた上側横開口部８６は、サイドピンワイパアーム６４およびサイドピンオフセットワイパアーム６８の一部を受け取り、下側横開口部９４は、サイドロック１８８ワイパアーム６２の一部を受け取り、近位横開口部９５は、サイドロック２５０ワイパアーム７１の一部を受け取る。
【００４９】
図３−４は、アダプタ５０の分解図を描写する。図示される実施形態におけるアダプタ５０は、上側本体１１０と、下側本体１１２と、上側本体１１０と下側本体１１２との間に位置付けられた内側本体１１４とを含む。上側本体１１０および下側本体１１２は、協働し、アダプタ５０の近位端７０から遠位端７２に向かって延びている空洞７４を画定する。アダプタ５０は、ワンピース本体を提供するように、最終的に組み立てられ、互いに接合された別個の部品から製造されるものとして示される。アダプタ５０は、図に示されるものより少ない別個の構成要素またはより多数の別個の構成要素から作製されることができる。
【００５０】
図示される実施形態において、上側本体１１０は、上側近位タブ７６と、上側遠位タブ７８と、切り抜き８２および整列させられた上側横開口部８６と、近位横開口部９５と、横タブ９７とを含む。近位端７０から視認されたとき、上側本体１１０は、略逆Ｕ字形構成を有し、内側壁区分１２０と、外側壁区分１２２と、内側壁区分１２０と外側壁区分１２２との間に架かる上壁区分１２４とを含む。
【００５１】
上側本体内側壁区分１２０は、内部表面１３４と、外部表面１３６とを含む。外部表面１３６は、図示される実施形態において、略平滑および平面的であり、アダプタ５０が結合器３４と接続されると、アダプタ接面３８の方に面する。上側本体外側壁区分１２２は、内部表面１４４と、外部表面１４６とを含む。
【００５２】
上側本体上壁区分１２４は、内部表面１５６と、外部表面１６２とを含む。第１の近位端スロット１６４および第２の近位端スロット１６６の各々は、近位端７０から遠位端７２に向かって縦方向に延び、上側近位タブ７６を画定する。返し１６８は、上側近位タブ７６から下向きに延び、押しボタン１９ｍｍワイパアーム５２、押しボタン２２ｍｍ短ワイパアーム５８、押しボタン２２ｍｍアーム６０、またはｆｚワイパアーム６９内に提供される開口部内に係合する（図１参照）。
【００５３】
上側本体１１０は、遠位端部分１７０も含み、第１の遠位スロット１７４および第２の遠位スロット１７６は、上側遠位タブ７８を画定する。突出部１７８は、上側遠位タブ７８から下向きに延び、ピンチタブワイパアーム５６内に提供される開口部の内側に係合する（図１参照）。切り抜き８２は、外側壁区分１２２と比較して、上側本体内側壁区分１２０のより近傍に位置する。
【００５４】
図示される実施形態において、下側本体１１２は、第１の下側タブ９０と、第２の下側タブ９２と、下側横開口部９４とを含む。近位端７０から視認されたとき（図２参照）、下側本体１１２は、略Ｕ字形構成を有し、内側壁区分２２０と、外側壁区分２２２と、内側壁区分２２０と外側壁区分２２２との間に架かる底壁区分２２４とを含む。
【００５５】
下側本体内側壁区分２２０は、内部表面２３４と、外部表面２３６を含む。外部表面２３６は、図示される実施形態において、略平滑および平面的であり、アダプタ５０が結合器３４と接続されると、アダプタ接面３８の方に面する。ストップ部材５１は、外部表面２３６からアダプタ５０のアダプタ接面３８に向かって延び、近位端７０より遠位端７２に近い。ストップ部材５１は、限界レッジ４９と相互作用し、戻り止め様式で結合器３４に対するアダプタのための克服可能な旋回停止を提供する。下側本体外側壁区分２２２は、内部表面２４４と、外部表面２４６とを含む。
【００５６】
底壁区分２２４は、内部表面２６０と、外部表面２６２とを含む。底壁区分２２４は、第１の下側タブ９０および第２の下側タブ９２を画定する。第１の下側タブ９０は、第２の下側タブ９２よりアダプタ５０の近位端７０の近くに位置付けられる。したがって、第２の下側タブ９２は、アダプタ５０の平面図において第１の下側タブ９０とアダプタ５０の遠位端７２との間にある。
【００５７】
図５を参照すると、第１の返し２６６は、第１の下側タブ９０から上向きに延び、大型フックワイパアーム６６内に提供される開口部内に係合する（図１）。第２の返し２６８は、第２の下側タブ９２から上向きに延び、標準フックワイパアーム５４内に提供される開口部内に係合する（図１）。標準フックワイパアーム５４または大型フックワイパアーム６６のいずれかのアームの遠位端が、空洞７４内に受け取られるとき、それぞれの返し２６６、２６８は、それぞれのワイパアーム５４、６６の遠位端の近くのそれぞれの開口部内に受け取られる。
【００５８】
内側本体１１４は、内側凸部３５０と、外側凸部３５２とを含む。内側凸部３５０および外側凸部３５２の各々は、内側凸部３５０および外側凸部３５２を一緒に接続する交差部材３５４から、アダプタ５０の近位端７０に向かって延びている。下側遠位タブ９８は、交差部材３５４から延びていることができる。返し３５９は、上側本体１１０の上壁区分１２４から離れるように下側遠位タブ３５７から延び、下側横開口部９４と協働し、サイドロック１８８ワイパアーム６２をアダプタ５０と接続することができる。
【００５９】
内側凸部３５０は、外部表面３５６を含み、外部表面３５６は、略平面的であり、垂直に向けられ、上側本体内側壁区分１２０の内部表面１３４および下側本体内側壁区分２２０の内部表面２３４からオフセットされている。内側凸部３５０は、外側凸部３５２の方に面する内部表面３５８も含む。同様に、外側凸部３５２は、内側凸部３５０の外部表面３５６と平行な外部表面３６２を含む。外側凸部３５２は、略垂直に向けられ、内側凸部３５０の内部表面３５８と平行であり、それからオフセットされた内部表面３６４も含む。
【００６０】
内側突起３６８は、内側凸部３５０の内部表面３５８から外側凸部３５２に向かって内向きに延びている。同様に、別の内側突起３７２が、外側凸部３５２の内部表面３６４上に提供され、内側凸部３５０の方に面する。内側突起３６８および３７２は、標準フックワイパアーム５４または大型フックワイパアーム６６のいずれかが、アダプタ５０の空洞７４内に、より具体的に、内側凸部３５０と外側凸部３５２との間に受け取られるとき、標準フックワイパアーム５４および大型フックワイパアーム６６と係合する。
【００６１】
内側凸部内側突起３６８および外側凸部内側突起３７２は、アダプタ５０の平面図において縦軸６３に沿って第１の下側タブ９０と第２の下側タブ９２との間に配置される。内側凸部３５０は、内側凸部近位開口部３５１を画定し、外側凸部３５２は、外側凸部近位開口部３５３を画定する。アダプタ５０は、内側凸部近位開口部３５１と外側凸部近位開口部３５３との間に延びている横軸３５５を画定する。横タブ９７は、平面図において横軸３５５に沿って配置される。外側壁区分１２２の近位横開口部９５は、サイドロック２５０ワイパアーム７１を受け取るように内側凸部近位開口部３５１および外側凸部近位開口部３５３と位置合わせされる。
【００６２】
内側凸部３５０は、内側凸部上縁３７４を含み、外側凸部３５２は、外側凸部上縁３７６を含む。上縁３７４および３７６は、上側本体上壁区分１２４の内部表面１５６の下で垂直にオフセットされる。これは、押しボタン１９ｍｍワイパアーム５２、ピンチタブワイパアーム５６、押しボタン２２ｍｍ短ワイパアーム５８、および押しボタン２２ｍｍワイパアーム６０の（略）水平に配置された区分が空洞７４内に受け取られることを可能にする。
【００６３】
内側凸部３５０は、内側凸部下縁３７８も含み、外側凸部３５２は、外側凸部下縁３８２を含む。内側凸部３５０の下縁３７８は、外側凸部３５２の下縁３８２と同一平面にある。外側凸部３５２は、外側凸部３５２の固定部分３８６とフィンガ部分３８８とを作成する分岐スロット３８４を画定する。外側凸部３５２のフィンガ部分３８８は、弾性的に変形可能である。
【００６４】
アダプタ５０は、内側本体１１４に弾性的に取り付けられたウェッジ３９０も含む。ウェッジ３９０は、内側本体１１４の方に面する内面３９２と、内側本体１１４から外方を向き、内面３９２と反対の方向に面する外面３９４とを含む。ウェッジ３９０は、アダプタ５０の近位端７０からアダプタ５０の遠位端７２に向かって、内側本体１１４の内側凸部３５０の外部表面３５６から延びていることができる。
【００６５】
ウェッジ３９０は、上側本体１１０の内側壁区分１２０に向かって押しボタン２２ｍｍアーム６０および押しボタン２２ｍｍ短ワイパアーム５８に側方付勢力を及ぼすことができる。さらに、ウェッジ３９０は、アーム６０、５８がアダプタ５０内に受け取られるとき、内側本体１１４と押しボタン２２ｍｍアーム６０および押しボタン２２ｍｍ短ワイパアーム５８との間で側方に配置されることができる。
【００６６】
さらに依然として、ウェッジ３９０は、該ワイパアーム５２、５６、６９がアダプタ５０内に受け取られるとき、上側本体１１０の内側壁区分１２０と押しボタン１９ｍｍワイパアーム５２、ピンチタブワイパアーム５６、またはｆｚワイパアーム６９との間で側方に配置されることができる。したがって、ウェッジ３９０は、内側本体１１４の内側凸部３５０の外部表面３５６に向かって、押しボタン１９ｍｍワイパアーム５２、ピンチタブワイパアーム５６、およびｆｚワイパアーム６９に側方付勢力を及ぼすことができる。
【００６７】
図２Ｆ−２Ｊ、より具体的に、図２Ｆを参照すると、代替結合器３４’と、代替アダプタ５０’とを含む代替ワイパセット３１’が、示される。別様に記述されない限り、代替結合器３４’および代替アダプタ５０’は、それぞれ、図１−２Ｅおよび３−６に図示される、結合器３４およびアダプタ５０と同一の構造および特徴を共有する。例えば、代替アダプタ５０’は、アダプタ５０に関して前述で説明されたものと同一の様式で、図１に図示されるワイパアームの全てと係合することができる。しかしながら、代替アダプタ５０’は、以降でより詳細に説明されるであろうような様式で、代替結合器３４’と相互作用することができる。
【００６８】
代替結合器３４’は、図２Ｆに図示されるように、代替アダプタ５０’の近位端７０および遠位端７２と共通の向きを共有する近位端１１および遠位端１３を含むことができる。代替アダプタ５０’は、近位端７０と遠位端７２との間に延びている縦軸６３を画定し、代替結合器３４’は、結合器３４’の近位端１１と遠位端１３との間に延びている縦軸６３ａを画定する（図２Ｇ）。さらに、代替アダプタ５０’の近位横開口部９５は、横軸３５５を画定する。横タブ９７は、平面図において横軸３５５に沿って配置される。
【００６９】
図２Ｇおよび２Ｊを参照すると、代替結合器３４’は、アダプタ受け取りくぼみ１５を画定することができる。図示されるように、くぼみ１５は、代替結合器３４’を通した流体連通を可能にしない。しかしながら、くぼみ１５は、（すなわち、ボアとして）それを通した流体連通を可能にするように、代替結合器３４’を通して完全に延び得ることを理解されたい。
【００７０】
くぼみ１５は、代替アダプタ５０’に面する内部床面１７ａを伴う床１７によって境を限られることができる。床１７は、内部床面１７ａが面する方向と反対である方向に面する、外部床面１７ｂを含むことができる。くぼみ１５は、アダプタ接面３８’および後外部表面３６ｂ’を伴う後壁３６’、前内部表面２１ａおよび前外部表面２１ｂを伴う前壁２１、遠位内部表面２３ａを伴う遠位壁２３、および、近位内部表面２５ａを伴う近位壁２５によっても、境を限られることもできる。後壁３６’および前壁２１は、結合器３４’の反対側の側方端に配置されることができる。さらに、遠位壁２３および近位壁２５は、結合器３４’の反対側の縦端に配置される。
【００７１】
後壁３６’のアダプタ接面３８’は、前内部表面２１ａに面することができる。さらに、前内部表面２１ａは、前外部表面２１ｂが面する方向と反対である方向に面することができる。前内部表面２１ａは、アダプタ接面３８’から間隔を置かれる。さらに、遠位内部表面２３ａおよび近位内部表面２５ａは、それぞれ、代替結合器３４’の遠位端１３および近位端１１にあり、互いの方に面するように、代替結合器３４’の反対側の端に配置されることができる。遠位壁２３および近位壁２５は、協働し、後壁３６’と前壁２１とを一緒に接続することができる。
【００７２】
図２Ｇに継続して注目すると、代替結合器３４’は、一体的に形成されたポスト３５であり得るアダプタ取り付け部も含む。ポスト３５は、代替結合器３４’と代替アダプタ５０’との間の旋回接続を可能にする。ポストは、それの周りで代替アダプタ５０’が旋回する旋回軸３７を画定する。さらに、ポスト３５は、旋回軸３７に直交する面において長円形断面を画定することができる。ポスト３５は、旋回軸３７上に配置され、互いに側方に間隔を置かれ得る第１のポスト部分３５ａと第２のポスト部分３５ｂとを含むことができる。
【００７３】
後壁３６’、より具体的に、アダプタ接面３８’、前壁２１の前内部表面２１ａ、および代替結合器３４’の近位壁２５の近位内部表面２５ａは、旋回軸３７に略直交し得る。図示されるように、遠位壁２３の遠位内部表面２３ａは、遠位内部表面２３ａが、アダプタ接面３８’、前壁２１の前内部表面２１ａ、または近位壁２５の近位内部表面２５ａと同一の方向に面しないように、斜面様レイアウトを有することができる。
【００７４】
図２Ｇ、より具体的に、図２Ｊに示されるように、代替結合器３４’は、以降でより詳細に説明されるであろうように、代替アダプタ５０’のストップ部材５１’（図２Ｈ−２Ｉ）との相互作用のために代替結合器３４’の遠位端１３に配置されたストップウィング４９’を含むこともできる。図示されるように、ストップウィング４９’は、床１７、より具体的に、内部床面１７ａから上向きに延びていることができる。ストップウィング４９’は、前壁２１、後壁３６’、近位壁２５、および遠位壁２３から間隔を置かれることができる。さらに、ストップウィング４９’は、代替結合器３４’の平面図において、第１のポスト部分３５ａと第２のポスト部分３５ｂとの間で側方に配置され、それらから間隔を置かれることができる。
【００７５】
したがって、ストップウィング４９’は、旋回軸３７の下方にあるように配置されることができる。しかしながら、既に記述されたように、床１７は、排除され得、くぼみ１５は、代わりに、代替結合器３４’を通して延びているであろうボアであり得る。その状況において、ストップウィング４９’は、代わりに、結合器３４’の壁のうちの１つ以上のものに取り付けられ、それらから延び得る。
【００７６】
ストップウィング４９’は、代替結合器３４’の横方向に（すなわち、旋回軸３７と平行に）延びているストップウィング長を画定することができる。さらに、ストップウィング４９’は、代替結合器３４’の縦方向に（すなわち、縦軸６３ａと平行に）延びているストップウィング幅を画定することができる。図示されるように、ストップウィング長は、ストップウィング幅を上回る。ストップウィング４９’は、床１７から上向きにも延び、ストップウィング高さを画定する。
【００７７】
図２Ｇに示されるように、ストップウィング４９’の長さは、一定であり得る。しかしながら、ストップウィング４９’の幅は、非一定であり得る。例えば、ストップウィング４９’の幅は、ストップウィング４９’が床１７から上向きに延びるにつれて、減少し得る。図示されるように、ストップウィング４９’は、前内部表面２１ａから間隔を置かれ、後壁３６’のアダプタ接面３８’からも間隔を置かれる。
【００７８】
図２Ｈ−２Ｉに特に注目すると、代替アダプタ５０’は、上側本体１１０と、下側本体１１２’と、上側本体１１０と下側本体１１２との間に位置付けられた内側本体１１４とを含むことができる。下側本体１１２’は、略Ｕ字形構成を有し、内側壁区分２２０と、外側壁区分２２２と内側壁区分２２０と外側壁区分２２２との間に架かる底壁区分２２４’とを含むことができる。
【００７９】
アダプタ５０のように、代替アダプタ５０’は、結合器３４’と係合するためのアダプタ取り付けマウント５７を含むことができる。アダプタ取り付けマウント５７は、アダプタ５０’の遠位端７２に配置され、下側本体１１２’と一体的であり得る。アダプタ取り付けマウント５７は、代替アダプタ５０’の反対側の側方端に配置された内側取り付けマウント５７ａと外側取り付けマウント５７ｂとを含むことができる。内側取り付けマウント５７ａおよび外側取り付けマウント５７ｂは、ワイパセット３１に関して以前に説明されたように、それぞれ、代替結合器３４’の第２のポスト部分３５ｂおよび第１のポスト部分３５ａに係合するように構成される。
【００８０】
代替アダプタ５０’の下側本体１１２’は、ストップ部材５１’を含むことができる。図示されるように、ストップ部材５１’は、下側本体１１２’と一体的であり得る。ストップ部材５１’は、ストップウィング４９’と係合するために底壁区分２２４’から下向きに延びていることができる。代替アダプタ５０’のストップ部材５１’は、内側取り付けマウント５７ａと外側取り付けマウント５７ｂとの間で側方に配置されることができる。図示されるように、ストップ部材５１’は、ストップ部材５１’が外側取り付けマウント５７ｂに直接接触するように、代替アダプタ５０’の横の中心からオフセットされる。
【００８１】
ストップ部材５１’は、アダプタ５０と比較して、代替アダプタ５０’の全体的高さが増加させられないように、底壁区分２２４’から下向きに延びている。さらに、ストップ部材５１’の向きは、ストップ部材５１’の底縁５１ａ’が、内側取り付けマウント５７ａの内側取り付けマウント底縁５７ａａまたは外側取り付けマウント５７ｂの外側取り付けマウント底縁５７ｂａの下方に垂直に延びないようなものである。したがって、ストップ部材５１ａの底縁５１ａ’、内側取り付けマウント５７ａの底縁５７ａａ、および外側取り付けマウント５７ｂの底縁５７ｂａは、同一平面にあり、代替アダプタ５０’の最低水平面を画定する。
【００８２】
図２Ｉに示されるように、ストップ部材５１’は、高さ（すなわち、垂直軸に沿って延びている）が、図２Ｉでは左右方向であろう長さ（すなわち、縦軸６３に沿って延びている）を上回る薄壁構造であり得る。さらに、ストップ部材５１’は、内側取り付けマウント５７ａまたは外側取り付けマウント５７ｂのいずれかの幅に等しくあり得る幅（すなわち、横軸３５５に沿って延びている）を画定することができる。
【００８３】
代替アダプタ５０’のストップ部材５１’と代替結合器３４’のストップウィング４９’との間の相互作用は、アダプタ５０のストップ部材５１と結合器３４の限界レッジ４９との間の相互作用と同一である。すなわち、ストップ部材５１’とストップウィング４９’との間の相互作用は、戻り止め様式で代替結合器３４’に対する代替アダプタ５０’のための克服可能な旋回停止を提供する。したがって、簡潔にするために、説明は、省略される。
【００８４】
図７−１０を参照すると、第２のアダプタ１０５０が示される。第２のアダプタ１０５０は、後に説明されるであろう複数の取り付け要素を含み、ワイパアーム５２−６６の各々が第２のアダプタ１０５０と接続することを可能にする。図７を参照すると、第２のアダプタ１０５０は、押しボタン１９ｍｍワイパアーム５２、押しボタン２２ｍｍ短ワイパアーム５８、および押しボタン２２ｍｍワイパアーム６０と協働し、これらのワイパアーム５２、５８、および６０の各々を第２のアダプタ１０５０に接続する上側近位タブ１０７６を含む。
【００８５】
図７および８を具体的に参照すると、第２のアダプタ１０５０は、ピンチタブワイパアーム５６を第２のアダプタ１０５０と接続するためにピンチタブワイパアーム５６と協働する上側遠位タブ１０７８も含む。第２のアダプタ１０５０は、サイドピンワイパアーム６４を第２のアダプタ１０５０に接続するためにサイドピンワイパアーム６４と協働する切り抜き１０８２および一対の整列させられた上側横開口部１０８６も含む。
【００８６】
図９を参照すると、第２のアダプタ１０５０は、大型フックワイパアーム６６と協働し、大型フックワイパアーム６６を第２のアダプタ１０５０と接続する第１の下側タブ１０９０を含む。第２のアダプタ１０５０は、標準フックワイパアーム５４と協働し、標準フックワイパアーム５４を第２のアダプタ１０５０と接続する第２の下側タブ１０９２も含む。第２のアダプタ１０５０はまた、垂直中心遠位端タブ１０９６および垂直下側遠位端タブ１０９８と協働し、サイドロックワイパアーム６２を第２のアダプタ１０５０と接続する一対の下側横開口部１０９４も含む。空洞１０７４は、押しボタン１９ｍｍワイパアーム５２、押しボタン２２ｍｍ短ワイパアーム５８、押しボタン２２ｍｍワイパアーム６０、標準フックワイパアーム５４、大型フックワイパアーム６６、およびピンチタブワイパアーム５６を受け取るように適切に寸法を決定される。整列させられた上側横開口部１０８６は、サイドロックワイパアーム６２の一部を受け取り、整列させられた下側横開口部１０９４は、サイドピンワイパアーム６４の一部を受け取る。
【００８７】
図７は、第２のアダプタ１０５０の分解図を描写する。図示される実施形態における第２のアダプタ１０５０は、上側本体１１１０と、下側本体１１１２と、上側本体１１１０と下側本体１１１２との間に位置付けられた内側本体１１１４とを含む。第２のアダプタ１０５０は、ワンピース本体を提供するように、最終的に組み立てられ、互いに接合された別個の部品から製造されるものとして示される。第２のアダプタ１０５０は、図６−８に示されるものより少ない別個の構成要素またはより多数の別個の構成要素から作製されることができる。
【００８８】
図示される実施形態において、上側本体１１１０は、上側近位タブ１０７６と、上側遠位タブ１０７８と、切り抜き１０８２と、整列させられた上側横開口部１０８６とを含む。近位端１０７０から視認されたとき（図７参照）、上側本体１１１０は、略逆Ｕ字形構成を有し、内側壁区分１１２０と、外側壁区分１１２２と、内側壁区分１１２０と外側壁区分１１２２との間に架かる上壁区分１１２４とを含む。
【００８９】
上側本体内側壁区分１１２０は、図１０でより明確に見られる内側下縁１１３０を含む。内側位置決めフランジ１１３２は、内側下縁１１３０から下向きに垂れ、上側本体１１１０を下側本体１１１２に接続することを促進する。上側本体内側壁区分１１２０は、内部表面１１３４と、外部表面１１３６とを含む。外部表面１１３６は、図示される実施形態において、略平滑および平面的であり、第２のアダプタ１０５０が結合器３４と接続されると、アダプタ接面３８の方に面する。
【００９０】
上側本体外側壁区分１１２２も、外側下縁１１１４０を含む。外側位置決めフランジ１１１４２が、外側下縁１１１４０から下向きに垂れている。上側本体外側壁区分１１２２は、内部表面１１１４４と、外部表面１１１４６とを含む。図１０を参照すると、上側ヘッド区分１１５２および上側テール区分１１５４を有する上側突起１１５０は、上側本体外側壁区分１１２２の外部表面１１１４６から外向きに延びている。上側ヘッド区分１１５２は、曲線状であり、構成において略半円形である。上側テール区分１１５４は、上側ヘッド区分１１５２から延び、第２のアダプタ１０５０の近位端１０７０（図７）に向かって下向きにテーパ状になる。
【００９１】
上側本体上壁区分１１２４は、中心上側陥凹１１５８が形成される内部表面１１５６と、外部表面１１６２とを含む。第１の近位端スロット１１６４および第２の近位端スロット１１６６の各々は、近位端１０７０（図７）から遠位端１０７２（図８）に向かって縦方向に延び、上側近位タブ１０７６を画定する。返し１６８は、上側近位タブ１０７６から下向きに延び、押しボタン１９ｍｍワイパアーム５２、押しボタン２２ｍｍ短ワイパアーム５８、または押しボタン２２ｍｍアーム６０内に提供される開口部内に係合する（図１参照）。
【００９２】
上側本体１１１０は、中心切り欠き１１７２を有する遠位端部分１１７０も含む。上側遠位タブ１０７８は、中心切り欠き１１７２内に位置付けられる。図９でより明確に見られるように、第１の遠位スロット１１７４および第２の遠位スロット１１７６は、上側遠位タブ１０７８を画定する。突出部１１７８は、上側遠位タブ１０７８から下向きに延び、ピンチタブワイパアーム５６内に提供される開口部の内側に係合する（図１参照）。切り抜き１０８２は、外側壁区分１１２２と比較して、中心切り欠き１１７２の上側本体内側壁区分１１２０により近い側に位置する。
【００９３】
内側垂直細長スロット１１８２および外側垂直細長スロット１１８４の各々は、遠位端部分１１７０内に提供される。垂直細長スロット１１８２、１１８４は、内側本体１１１４と上側本体１１１０との間の取り付けを促進する。内側ポスト１１８６および外側ポスト１１８８の各々は、内側下縁１１３０および外側下縁１１１４０と同一平面にある遠位端部分下側表面１９２から下向きに垂れ、下側本体１１１２への上側本体１１１０の取り付けを促進する。
【００９４】
図示される実施形態において、下側本体１１１２は、第１の下側タブ１０９０と、第２の下側タブ１０９２と、整列させられた下側横開口部１０９４と、垂直下側遠位端タブ１０９８とを含む。近位端１０７０から視認されたとき（図７参照）、下側本体１１１２は、略Ｕ字形構成を有し、内側壁区分１２２０と、外側壁区分１２２２と、内側壁区分１２２０と外側壁区分１２２２との間に架かる底壁区分１２２４とを含む。
【００９５】
下側本体内側壁区分１２２０は、内側上縁１２３０を含む。下側本体内側壁区分１２２０は、内部表面１２３４と、外部表面１２３６とも含む。外部表面１２３６は、図示される実施形態において、略平滑および平面的であり、第２のアダプタ１０５０が結合器３４と接続されると、アダプタ接面３８の方に面する。
【００９６】
下側本体外側壁区分１２２２も、外側上縁１２４０を含む。下側本体外側壁区分１２２２も、内部表面１２４４と、外部表面１２４６とを含む。図１０を参照すると、下側ヘッド区分１２５２および下側テール区分１２５４を有する下側突起１２５０は、下側本体外側壁区分１２２２の外部表面１２４６から外向きに延びている。下側ヘッド区分１２５２は、曲線状であり、構成において実質的に半円形である。下側テール区分１２５４は、下側ヘッド区分１２５２から延び、第２のアダプタ１０５０の近位端１０７０（図８）に向かって上向きにテーパ状になる。
【００９７】
底壁区分１２２４は、内部表面１２６０と、外部表面１２６２とを含む。逆「Ｅ」字形切り抜き１２６４は、底壁区分１２２４を通して延び、第１の下側タブ１０９０および第２の下側タブ１０９２を画定する。第１の下側タブ１０９０は、第２の下側タブ１０９２より第２のアダプタ１０５０の近位端１０７０の近くに位置付けられる。図１０を参照すると、第１の返し１２６６は、第１の下側タブ１０９０から上向きに延び、大型フックワイパアーム６６内に提供される開口部内に係合する（図１）。第２の返し１２６８は、第２の下側タブ１０９２から上向きに延び、標準フックワイパアーム５４内に提供される開口部内に係合する（図１）。
【００９８】
底壁区分１２２４は、第１の下側タブ１０９０および第２の下側タブ１０９２が位置する中心下側陥凹１２７２も含む。中心下側陥凹１２７２は、下側本体内側壁区分１２２０と下側本体外側壁区分１２２２との間で中心に位置する。中心下側陥凹１２７２は、近位端１０７０（図７参照）から遠位端１０７２に向かって延びている。標準フックワイパアーム５４および大型フックワイパアーム６６は、いずれか一方のアームの遠位端が空洞１０７４（図７）内に受け取られると、中心上側陥凹１１５８および中心下側陥凹１２７２内に受け取られ、それぞれの返し１２６６、１２６８は、それぞれのワイパアーム５４、６６の遠位端の近くのそれぞれの開口部内に受け取られる。
【００９９】
図１０に関して、内側シェルフ１２７４および外側シェルフ１２７６は、底壁区分１２２４から上向きに延びている。内側シェルフ１２７４は、下側本体内側壁区分１２２０の内部表面１２３４から内向きに延びている。外側シェルフ１２７６は、下側本体外側壁区分１２２２の内部表面１２４４から内向きに延びている。内側シェルフ１２７４および外側シェルフ１２７６は、縦中心軸に対する互いに鏡像である。したがって、内側シェルフ１２７４が、外側シェルフ１２７６が類似構成をとるという理解の下で詳細に説明されるであろう。
【０１００】
内側シェルフ１２７４は、第２の下側タブ１０９２を画定する「Ｅ」字形切り抜き１２６４の一区分に隣接して位置付けられた垂直横表面１２７８を画定する。垂直横表面１２７８は、図示される実施形態では平面的である。内側シェルフ１２７４はまた、下側本体内側壁区分１２２０に向かった方向に中心下側陥凹１２７２から側方にオフセットされた垂直縦表面１２８２も画定する。垂直縦表面１２８２も、平面的である。内側シェルフ１２７４は、底壁区分１２２４の内部表面１２６０の上方で垂直にオフセットされた水平縦表面１２８４も画定する。水平縦表面１２８４も、平面的である。わずかに傾斜した略垂直表面１２８６が、水平縦表面１２８４から上向きに延びている。
【０１０１】
下側本体１１１２は、各々が下側本体底壁区分１２２４の外部表面１２６２から下向きに延びている第１のキャッチおよび第２のキャッチを含む。第１および第２のキャッチは、互いに協働し、アダプタ取り付けマウント４２の間に延びているポスト（図１では可視ではない）を受け取る車軸チャネルを画定するように、適切に間隔を置かれる。ポストと接続するキャッチは、第２のアダプタ１０５０を結合器３４に取り付ける１つの可能な方法にすぎない。第２のアダプタ１０５０が結合器３４に対して旋回することを可能にする他のタイプの取り付け機構も、使用され、これらの取り付け機構は、第２のアダプタ１０５０の他の表面上に位置し得る。例えば、取り付け機構が、第２のアダプタ１０５０の内側または外側に提供され得る。
【０１０２】
下側本体１１１２は、下側本体１１１２が上側本体１１１０と接続されると、上側本体遠位端部分１１７０内の上側中心切り欠き１１７２と整列させられる下側中心切り欠き１３０２を有する下側本体遠位端部分１３００も含む。垂直下側遠位端タブ１０９８は、下側中心切り欠き１３０２内に位置付けられる。突出部は、垂直下側遠位端タブ１０９８から上向きに延び、車軸が整列させられた下側横開口部１０９４のうちの１つを通して受け取られると、サイドロックワイパアーム６２（図１）上の車軸（またはピン）内に提供される環状陥凹の内側に係合する。
【０１０３】
内側垂直細長スロット１３１２および外側垂直細長スロット１３１４の各々が、下側本体遠位端部分１３００内に提供される。垂直細長スロット１３１２、１３１４は、下側本体１１１２との内側本体１１１４の取り付けを促進する。内側ポストレセプタクル１３１６および外側ポストレセプタクル１３１８の各々が、内側上縁１２３０および外側上縁１２４０と同一平面にある下側本体遠位端部分の上側表面１３２２内に提供される。上側本体１１１０が下側本体１１１２に取り付けられると、内側ポストレセプタクル１３１６は、内側ポスト１１８６を受け取り、外側ポストレセプタクル１３１８は、外側ポスト１１８８を受け取る。
【０１０４】
内側本体１１１４は、各々が交差部材１３５４から第２のアダプタ１０５０の近位端１０７０（図７）に向かって延びている内側凸部１３５０および外側凸部１３５２を含む。内側凸部１３５０は、略平面的であり、垂直に向けられ、上側本体内側壁区分１１２０の内部表面１１３４および下側本体内側壁区分１２２０の内部表面１２３４からオフセットされた外部表面１３５６を含む。内側凸部１３５０は、外側凸部１３５２の方に面する内部表面１３５８も含む。
【０１０５】
同様に、外側凸部１３５２は、内側凸部１３５０の外部表面１３５６と平行な外部表面３６２を含む。外側凸部１３５２は、略垂直に向けられ、内側凸部１３５０の内部表面１３５８と平行であり、それからオフセットされた内部表面１３６４も含む。内側骨形状突起１３６８（図１０）は、内側凸部１３５０の内部表面１３５８から外側凸部１３５２に向かって内向きに延びている。同様に、別の内側突起１３７２（図９）が、外側凸部１３５２の内部表面１３６４上に提供され、内側凸部１３５０の方に面する。内側突起１３６８および１３７２は、標準フックワイパアーム５４または大型フックワイパアーム６６のいずれかが、第２のアダプタ１０５０の空洞１０７４内に、より具体的に、内側凸部１３５０と外側凸部１３５２との間に受け取られると、標準フックワイパアーム５４および大型フックワイパアーム６６と係合する。
【０１０６】
内側凸部１３５０は、内側凸部上縁１３７４を含み、外側凸部１３５２は、外側凸部上縁１３７６を含む。内側凸部上縁１３７４は、外側凸部上縁１３７６と同一平面にある。上縁１３７４および１３７６は、上側本体上壁区分１１２４の内部表面１１５６の下で垂直にオフセットされる。これは、これらの前述のワイパアーム５２、５６、５８、および６０のうちのいずれかが、空洞１０７４（図７）内に受け取られると、押しボタン１９ｍｍワイパアーム５２、ピンチタブワイパアーム５６、押しボタン２２ｍｍ短ワイパアーム５８、および押しボタン２２ｍｍワイパアーム６０の（略）水平に配置された区分が、上縁１３７４、１３７６と上側本体上壁区分１１２４の内部表面１１５６との間に嵌合することを可能にする。
【０１０７】
内側凸部１３５０は、内側凸部下縁１３７８も含み、外側凸部１３７８は、外側凸部下縁１３８２を含む。内側凸部１３５０の下縁１３７８は、外側凸部１３５２の下縁１３８２と同一平面にある。下縁１３７８、１３８２の各々は、下側本体底壁区分１２２４の内部表面１２６０からオフセットされる。
【０１０８】
内側フランジが、交差部材１３５４から離れるように延びている。外側フランジも、交差部材１３５４から延びている。第２のアダプタ１０５０が組み立てられると、内側フランジは、上側本体１１１０における内側垂直細長スロット１１８２および下側本体１１１２における内側垂直細長スロット１３１２の中に受け取られる。同様に、外側フランジは、上側本体１１１０における外側垂直細長スロット１１８４および下側本体１１１２における外側垂直細長スロット１３１４の中に受け取られる。
【０１０９】
内側本体１１１４は、凸部１３５０、１３５２が延びている方向と反対の方向に交差部材１３５４から離れるように延びている垂直中心遠位端タブ１０９６も含む。垂直中心遠位端タブ１０９６は、サイドロックワイパアーム６２の車軸が整列させられた下側横開口部１０９４のうちの１つを通して受け取られるとき、サイドロックワイパアーム６２（図１）の接続を促進する。
【０１１０】
図１１−１４を参照すると、第３のアダプタ２０５０が示される。第３のアダプタ２０５０は、押しボタン１９ｍｍワイパアーム５２、押しボタン２２ｍｍ短ワイパアーム５８、押しボタン２２ｍｍワイパアーム６０、およびｆｚワイパアーム６９と協働し、これらのワイパアーム５２、５８、６０、６９の各々を第３のアダプタ２０５０に接続する上側近位タブ２０７６を含む。既に記述されたように、種々のワイパアームが、図１に図示される。第３のアダプタ２０５０は、ピンチタブワイパアーム５６を第３のアダプタ２０５０と接続するためにピンチタブワイパアーム５６と協働する上側遠位タブ２０７８も含む。
【０１１１】
第３のアダプタ２０５０は、サイドピンワイパアーム６４またはサイドピンオフセットワイパアーム６８を第３のアダプタ２０５０に接続するために、サイドピンワイパアーム６４またはサイドピンオフセットワイパアーム６８と協働する切り抜き２０８２および横遠位開口部２０８６（図１２）も含む。図１３に示されるように、第３のアダプタ２０５０は、大型フックワイパアーム６６と協働し、大型フックワイパアーム６６を第３のアダプタ２０５０と接続する第１の下側タブ２０９０をさらに含む。第３のアダプタ２０５０は、標準フックワイパアーム５４と協働し、標準フックワイパアーム５４を第３のアダプタ２０５０と接続する第２の下側タブ２０９２も含む。
【０１１２】
図１２を参照すると、第３のアダプタ２０５０は、サイドロックワイパアーム６２を受け取る近位横開口部２０９４も含む。空洞２０７４は、押しボタン１９ｍｍワイパアーム５２、標準フックワイパアーム５４、ピンチタブワイパアーム５６、押しボタン２２ｍｍ短ワイパアーム５８、押しボタン２２ｍｍワイパアーム６０、大型フックワイパアーム６６、およびｆｚワイパアーム６９を受け取るように適切に寸法を決定される。
【０１１３】
図１２に継続して注目すると、図示される実施形態における第３のアダプタ２０５０は、上側本体２１１０と、下側本体２１１２と、上側本体２１１０と下側本体２１１２との間に位置付けられた内側本体２１１４とを含む。第３のアダプタ２０５０は、ワンピース本体を提供するように、最終的に組み立てられ、互いに接合された別個の部品から製造されるものとして示される。第３のアダプタ２０５０は、示されるものより少ない別個の構成要素またはより多数の別個の構成要素から作製されることができる。
【０１１４】
上側本体２１１０は、上側近位タブ２０７６と、上側遠位タブ２０７８と、切り抜き２０８２と、横遠位開口部２０８６と、近位横開口部２０９４とを含む。近位端２０７０から視認されたとき、上側本体２１１０は、略逆Ｕ字形構成を有し、内側壁区分２１２０と、外側壁区分２１２２と、内側壁区分２１２０と外側壁区分２１２２との間に架かる上壁区分２１２４とを含む。
【０１１５】
上側本体２１１０は、近位端部分２１７０を含む。上壁区分２１２４は、それぞれ、近位端２０７０から遠位端２０７２に向かって縦方向に延び、上側近位タブ２０７６を画定する第１の近位端スロット２１６４および第２の近位端スロット１６６を画定することができる。返し２１６８（図１４）が、上側近位タブ２０７６から下向きに延び、押しボタン１９ｍｍワイパアーム５２、押しボタン２２ｍｍ短ワイパアーム５８、押しボタン２２ｍｍアーム６０、またはｆｚワイパアーム６９内に提供される開口部内に係合する。
【０１１６】
上側本体２１１０は、遠位端部分２１７２も含み、協働して第２の上側遠位タブ２０７８を画定する第１の遠位スロット２１７４および第２の遠位スロット２１７６を画定することができる。突出部２１７８（図１４）が、上側遠位タブ２０７８から下向きに延び、ピンチタブワイパアーム５６内に提供される開口部の内側に係合する。
【０１１７】
内側本体２１１４は、互いに間隔を置かれた内側壁区分２３２０と外側壁区分２３２２とを含む。中間壁区分２３２４は、内側壁区分２３２０と外側壁区分２３２２との間に延び、遠位壁区分２３２６が、第３のアダプタ２０５０の遠位端２７２において内側壁区分２３２０および外側壁区分２３２２を一緒に接続する。内側壁区分２３２０、外側壁区分２３２２、および中間壁区分２３２４は、第３のアダプタ２０５０の近位端２０７０から視認されたとき、Ｈ字形を形成する。
【０１１８】
内側壁区分２３２０は、遠位開口部２３８６ａおよびくぼみ２３９４を画定し、外側壁区分２３２２は、遠位開口部２３８６ｂおよび近位開口部２３８８を画定する。内側壁区分２３２０の遠位開口部２３８６ａは、外側壁区分２３２２の遠位開口部２３８６ｂおよび外側壁区分２１２２の遠位開口部２０８６と位置合わせされる。
【０１１９】
開口部２３８６ａ、２３８６ｂ、２０８６は、協働して、サイドピンワイパアーム６４またはサイドピンオフセットワイパアーム６８のピンを受け取り、サイドピンワイパアーム６４またはサイドピンオフセットワイパアーム６８を第３のアダプタ２０５０に接続する。さらに、内側壁区分２３２０のくぼみ２３９４、外側壁区分２３２２の近位開口部２３８８、および上側本体２１１０の近位横開口部２０９４は、サイドロックワイパアーム６２のピンを受け取るように位置合わせされている。
【０１２０】
外側壁区分２３２２は、分岐スロット２３３０を画定し、固定部分２３３２およびフィンガ部分２３３４を作成する。理解されるであろうように、スロット２３３０は、フィンガ部分２３３４が、外側壁区分２３２２の固定部分２３３２または内側壁区分２３２０に対して移動可能であることを可能にする。したがって、フィンガ部分２３３４は、上側本体２１１０の上壁区分２１２４から離れるように選択的に曲がり、近位開口部２３８８の直径の瞬間的増加を可能にし、近位開口部２３８８よりわずかに大きい直径を有し得るサイドロックワイパアーム６２のピンの一部の通過を可能にすることができる。次いで、フィンガ部分２３３４が曲がっていない位置に戻ると、サイドロックワイパアーム６２のピンとのしっかりした嵌合が存在する。
【０１２１】
さらに、フィンガ部分２３３４は、内側壁区分２３２０から離れるように選択的に曲がり、フィンガ部分２３３４と内側壁区分２３２０との間の距離の瞬間的増加を可能にし、種々のワイパアームの一部の通過を可能にすることができる。次いで、フィンガ部分２３３４が曲がっていない位置に戻ると、ワイパアームおよび第３のアダプタ２０５０とのしっかりした嵌合が存在する。
【０１２２】
下側本体２１１２は、第１の下側タブ２０９０と、第２の下側タブ２０９２と、搭載開口部２０９６とを含む。近位端２０７０から視認されたとき、下側本体２１１２は、略Ｕ字形構成を有し、内側壁区分２２２０と、外側壁区分２２２２と、内側壁区分２２２０と外側壁区分２２２２との間に架かる底壁区分２２２４とを含む。参考として、標準フックワイパアーム５４および大型フックワイパアーム６６は、標準フックワイパアーム５４および大型フックワイパアーム６６が第３のアダプタ２０５０によって受け取られると、底壁区分２２２４と中間壁区分２３２４との間に配置される。
【０１２３】
図１５−１７を参照すると、第４のアダプタ３０５０が示される。第４のアダプタ３０５０は、近位端３２７０および遠位端３２７２を有するワンピース本体であり得る。第４のアダプタ３０５０の近位端３２７０は、空洞３２７４に開かれている。第４のアダプタ３０５０は、後に説明されるであろう複数の取り付け要素を含み、前述のワイパアームの各々が第４のアダプタ３０５０と接続することを可能にする。
【０１２４】
第４のアダプタ３０５０は、押しボタン１９ｍｍワイパアーム５２、押しボタン２２ｍｍワイパアーム６０、およびｆｚワイパアーム６９と協働し、これらのワイパアーム５２、６０、および６９の各々を第４のアダプタ３０５０に接続する上側近位タブ３５７６を含む。第４のアダプタ３０５０は、ピンチタブワイパアーム５６を第４のアダプタ３０５０と接続するためにピンチタブワイパアーム５６と協働する上側遠位タブ３５７８も含む。
【０１２５】
第４のアダプタ３０５０は、サイドピンワイパアーム６４を第４のアダプタ３０５０に接続するためにサイドピンワイパアーム６４と協働する切り抜き３４８２および横遠位開口部３４８６も含む。さらに、第４のアダプタ３０５０は、サイドロックワイパアーム６２を受け取る近位横開口部３４９４も含む。
【０１２６】
図１６を参照すると、第４のアダプタ３０５０は、大型フックワイパアーム６６と協働し、大型フックワイパアーム６６を第４のアダプタ３０５０と接続する第１の下側タブ３４９０と、標準フックワイパアーム５４と協働し、標準フックワイパアーム５４を第４のアダプタ３０５０と接続する第２の下側タブ３４９２とを含む。
【０１２７】
第４のアダプタ３０５０は、互いに間隔を置かれた内側壁区分３４２０と外側壁区分３４２２とを含む。階段状底壁区分３４２４は、第４のアダプタ３０５０の片側で内側壁区分３４２０と外側壁区分３４２２とを接続し、上壁区分３５２４は、反対側で内側壁区分３４２０と外側壁区分３４２２とを接続する。第１の中間壁区分３６２４ａおよび第２の中間壁区分３６２４ｂは、内側壁区分３４２０と外側壁区分３４２２との間に配置される。
【０１２８】
第１の中間壁区分３６２４ａおよび第２の中間壁区分３６２４ｂは、互いに間隔を置かれ、内側壁区分３４２０および外側壁区分３４２２と略平行であり得る。空洞３２７４は、押しボタン１９ｍｍワイパアーム５２、標準フックワイパアーム５４、ピンチタブワイパアーム５６、押しボタン２２ｍｍワイパアーム６０、大型フックワイパアーム６６、およびｆｚワイパアーム６９を受け取るように適切に寸法を決定される。
【０１２９】
図１５−１７、より具体的に、図１７を継続して参照すると、上壁区分３５２４は、底壁区分３４２４から間隔を置かれる。さらに、それぞれ、標準フックワイパアーム５４および大型フックワイパアーム６６の少なくとも一部を受け取るための第１のフック開口部３４３６および第２のフック開口部３４３８を画定するために、第１の中間壁区分３６２４ａは、外側壁区分３４２２から間隔を置かれ、第２の中間壁区分３６２４ｂは、内側壁区分３４２０から間隔を置かれる。
【０１３０】
図１５に示されるように、外側壁区分３４２２は、遠位開口部３４８６ｂおよび近位横開口部３４９４を画定する。第１の中間壁区分３６２４ａは、遠位開口部３４８６ａおよび近位横開口部３４８８を画定する。第１の中間壁区分３６２４ａの遠位開口部３４８６ａは、外側壁区分３４２２の遠位開口部３４８６ｂと位置合わせされる。開口部３４８６ａ、３４８６ｂは、協働して、サイドピンワイパアーム６４のピンを受け取り、サイドピンワイパアーム６４を第４のアダプタ３０５０に接続する。さらに、第１の中間壁区分３６２４ａの近位横開口部３４８８と外側壁区分３４２２の近位横開口部３４９４とは、サイドロックワイパアーム６２のピンを受け取るように位置合わせされる。
【０１３１】
上壁区分３５２４は、上側近位タブ３５７６を画定する第１の近位端スロット３４６４（図１７）および第２の近位端スロット３４６６を画定することができ、それらの各々は、近位端３４７０から遠位端３４７２に向かって縦方向に延びている。返し３４６８（図１７）が、上側近位タブ３５７６から下向きに延び、押しボタン１９ｍｍワイパアーム５２、押しボタン２２ｍｍアーム６０、またはｆｚワイパアーム６９内に提供される開口部内に係合する。
【０１３２】
上壁区分３５２４は、協働して上側遠位タブ３５７８を画定する第１の遠位スロット３４７４および第２の遠位スロット３４７６を画定することができる。突出部３４７８（図１７）が、上側遠位タブ３５７８から下向きに延び、ピンチタブワイパアーム５６内に提供される開口部の内側に係合する。
【０１３３】
図１７に示されるように、第１の中間壁区分３６２４ａは、分岐スロット３４３０を画定し、固定部分３４３２およびフィンガ部分３４３４を作成する。理解されるであろうように、スロット３４３０は、フィンガ部分３４３４が、外側壁区分３４２２の固定部分３４３２または内側壁区分３４２０に対して移動可能であることを可能にする。
【０１３４】
したがって、フィンガ部分３４３４は、底壁区分３４２４から離れるように選択的に曲がり、近位開口部３４８８の直径の瞬間的増加を可能にし、近位開口部３４８８よりわずかに大きい直径を有し得るサイドロックワイパアーム６２のピンの一部の通過を可能にすることができる。次いで、フィンガ部分３４３４が曲がっていない位置に戻ると、サイドロックワイパアーム６２のピンとのしっかりした嵌合が存在する。
【０１３５】
さらに、フィンガ部分３４３４は、内側壁区分３４２０に向かって、かつそれから離れるように選択的に曲がり、種々のワイパアームの一部の通過に適応することができる。次いで、フィンガ部分３４３４が曲がっていない位置に戻ると、ワイパアームおよび第４のアダプタ３０５０とのしっかりした嵌合が存在する。
【０１３６】
図１８−２０を参照すると、第５のアダプタ４０５０が示される。第５のアダプタ４０５０は、近位端４３７０および遠位端４３７２を有するワンピース本体であり得る。第５のアダプタ４０５０の近位端４３７０は、空洞４３７４に開かれている。第５のアダプタ４０５０は、後に説明されるであろう複数の取り付け要素を含み、前述のワイパアームの各々が第５のアダプタ４０５０と接続することを可能にする。
【０１３７】
第５のアダプタ４０５０は、押しボタン１９ｍｍワイパアーム５２、押しボタン２２ｍｍワイパアーム６０、およびｆｚワイパアーム６９と協働し、これらのワイパアーム５２、６０、６９の各々を第５のアダプタ４０５０に接続する上側近位タブ４６７６を含む。第５のアダプタ４０５０は、ピンチタブワイパアーム５６を第５のアダプタ４０５０と接続するためにピンチタブワイパアーム５６と協働する上側遠位タブ４６７８と、サイドロックワイパアーム６２を受け取る近位横開口部４５９４とも含む。
【０１３８】
第５のアダプタ４０５０は、サイドピンワイパアーム６４を第５のアダプタ４０５０に接続するためにサイドピンワイパアーム６４と協働する切り抜き４５８２および横遠位開口部４５８６ｂも含む。図２０に示されるように、第５のアダプタ４０５０は、大型フックワイパアーム６６と協働し、大型フックワイパアーム６６を第５のアダプタ４０５０と接続する第１の下側タブ４５９０をさらに含む。第５のアダプタ４０５０はまた、標準フックワイパアーム５４と協働し、標準フックワイパアーム５４を第５のアダプタ４０５０と接続する第２の下側タブ４５９２も含む。
【０１３９】
図示されるように、第５のアダプタ４０５０は、互いに間隔を置かれた内側壁区分４５２０および外側壁区分４５２２を含む。分岐底壁区分４８２４は、第５のアダプタ４０５０の片側で内側壁区分４５２０および外側壁区分４５２２に接触し、上壁区分４７２４は、反対側で内側壁区分４５２０と外側壁区分４５２２とを接続する。
【０１４０】
第１の中間壁区分４９２４ａおよび第２の中間壁区分４９２４ｂは、外側壁区分４５２２と内側壁区分４５２０との間に配置される。第１の中間壁区分４９２４ａと第２の中間壁区分４９２４ｂとは、互いに間隔を置かれ、内側壁区分４５２０および外側壁区分４５２２と略平行であり得る。空洞４３７４は、押しボタン１９ｍｍワイパアーム５２、標準フックワイパアーム５４、ピンチタブワイパアーム５６、押しボタン２２ｍｍワイパアーム６０、大型フックワイパアーム６６、およびｆｚワイパアーム６９を受け取るように適切に寸法を決定される。
【０１４１】
標準フックワイパアーム５４または大型フックワイパアーム６６のいずれかの少なくとも一部を受け取るためのフック開口部５３６を画定するように、上壁区分４７２４は、底壁区分４８２４から間隔を置かれ、第２の中間壁区分４９２４ｂは、内側壁区分４５２０から間隔を置かれる。
【０１４２】
外側壁区分４５２２は、遠位開口部４５８６ｂおよび近位横開口部４５９４を画定する。第１の中間壁区分４９２４ａは、遠位開口部４５８６ａおよび近位横開口部４５８８を画定する。第１の中間壁区分４９２４ａの遠位開口部４５８６ａは、外側壁区分４５２２の遠位開口部４５８６ｂと位置合わせされる。開口部４５８６ａ、４５８６ｂは、協働して、サイドピンワイパアーム６４のピンを受け取り、サイドピンワイパアーム６４を第５のアダプタ４０５０に接続する。さらに、第１の中間壁区分４９２４ａの近位横開口部４５８８と外側壁区分４５２２の近位横開口部４５９４とは、サイドロックワイパアーム６２のピンを受け取るように位置合わせされる。
【０１４３】
上壁区分４７２４は、各々が近位端４５７０から遠位端４５７２に向かって縦方向に延び、上側近位タブ４６７６を画定する第１の近位端スロット４５６４および第２の近位端スロット４５６６を画定することができる。返し４５６８が、上側近位タブ４６７６から下向きに延び、押しボタン１９ｍｍワイパアーム５２、押しボタン２２ｍｍアーム６０、またはｆｚワイパアーム６９内に提供される開口部内に係合する。
【０１４４】
上壁区分４７２４は、協働して上側遠位タブ４６７８を画定する第１の遠位スロット４５７４および第２の遠位スロット４７７６を画定することができる。突出部４７７８（図１９）が、上側遠位タブ４６７８から下向きに延び、ピンチタブワイパアーム５６内に提供される開口部の内側に係合する。
【０１４５】
第１の中間壁区分４９２４ａは、底壁区分４８２４の一部と少なくとも部分的に連続的であり得る。さらに、第１の中間壁区分４９２４ａは、上側部分４５３２および下側部分４５３４を作成するように、分岐スロット４５３０を画定することができる。理解されるであろうように、スロット４５３０は、第１の中間壁区分４９２４ａの選択的曲がりを可能にし、近位横開口部４５８８の直径の瞬間的増加を可能にし、近位横開口部４５８８よりわずかに大きい直径を有し得るサイドロックワイパアーム６２のピンの一部の通過を可能にする。次いで、第１の中間壁区分４９２４ａが曲がっていない位置に戻ると、サイドロックワイパアーム６２とのしっかりした嵌合が存在する。
【０１４６】
フロントガラスワイパアセンブリおよび異なる形状のワイパアームの取り付けを可能にするようにフロントガラスワイパアセンブリの一部として提供されるアダプタが、詳細に上で説明された。修正および改変が、前述の詳細な説明を熟読および理解すると、当業者に想起されるであろう。しかしながら、本発明は、上で説明される実施形態のみに限定されない。代わりに、本発明は、添付の請求項およびその均等物によって広義に定義される。
【図１】
2021514325.tif 000003
【図２Ａ】
2021514325.tif 000004
【図２Ｂ】
2021514325.tif 000005
【図２Ｃ】
2021514325.tif 000006
【図２Ｄ】
2021514325.tif 000007
【図２Ｅ】
2021514325.tif 000008
【図２Ｆ】
2021514325.tif 000009
【図２Ｇ】
2021514325.tif 000010
【図２Ｈ】
2021514325.tif 000011
【図２Ｉ】
2021514325.tif 000012
【図２Ｊ】
2021514325.tif 000013
【図３】
2021514325.tif 000014
【図４】
2021514325.tif 000015
【図５】
2021514325.tif 000016
【図６】
2021514325.tif 000017
【図７】
2021514325.tif 000018
【図８】
2021514325.tif 000019
【図９】
2021514325.tif 000020
【図１０】
2021514325.tif 000021
【図１１】
2021514325.tif 000022
【図１２】
2021514325.tif 000023
【図１３】
2021514325.tif 000024
【図１４】
2021514325.tif 000025
【図１５】
2021514325.tif 000026
【図１６】
2021514325.tif 000027
【図１７】
2021514325.tif 000028
【図１８】
2021514325.tif 000029
【図１９】
2021514325.tif 000030
【図２０】
2021514325.tif 000031
【手続補正書】
【提出日】令和2年10月9日(2020.10.9)
【手続補正１】
【補正対象書類名】特許請求の範囲
【補正対象項目名】全文
【補正方法】変更
【補正の内容】
【特許請求の範囲】
【請求項１】
ワイパ要素と接続された結合器と接続するためのアダプタであって、前記アダプタは、本体を備え、前記本体は、
各々が異なるワーパアームスタイルを有する複数のワーパアームの各々を受け取る手段と、
前記複数の異なるワーパアームの各々の遠位端特徴を受け取る手段と
を有する、アダプタ。
【請求項２】
本体を有するアダプタであって、前記本体は、
前記アダプタの近位端から前記アダプタの遠位端に向かって延びている単一の空洞であって、前記空洞は、前記アダプタの前記近位端を通して複数のワーパアームの各々を受け取るように構成され、前記複数のワーパアームの各々は、異なるワーパアームスタイルを有する、単一の空洞と、
前記複数のワーパアームの各々の１つ以上の特徴と協働し、前記アダプタに前記複数のワーパアームのうちの各１つを選択的に接続する複数のタブと
を備えている、アダプタ。
【請求項３】
前記空洞は、前記アダプタの前記近位端を通して標準フックワイパアームおよび大型フックワイパアームを選択的に受け取るように構成され、前記複数のタブは、前記アダプタの前記近位端に接近している第１の下側タブと、前記第１の下側タブと前記アダプタの前記遠位端との間にある第２の下側タブとを備え、
第１の返しが、前記第１の下側タブから上向きに延び、前記第１の返しは、前記大型フックワイパアームに提供された開口部の中に係合するように構成され、第２の返しが、前記第２の下側タブから上方に延び、前記第２の返しは、前記標準フックワイパアームに提供された開口部の中に係合するように構成されている、請求項２に記載のアダプタ。
【請求項４】
前記本体は、上側本体および下側本体を備え、前記上側本体と前記下側本体とは、前記空洞を協働して確定し、前記本体は、内側本体をさらに備え、前記内側本体は、前記上側本体と前記下側本体との間に位置付けられ、それらに接合されている、請求項２に記載のアダプタ。
【請求項５】
前記内側本体は、
内側凸部であって、前記内側凸部は、互いに反対側である内側本体内部表面と内側本体外部表面とを有する、内側凸部と、
外側凸部であって、前記外側凸部は、前記内側凸部の方に面している外側凸部内部表面と、前記内側凸部から離れる方に面している外側凸部外部表面とを有する、外側凸部と
前記内側凸部と前記外側凸部とを一緒に接続する交差部材と
を含み、
前記内側凸部および前記外側凸部は、前記交差部材から前記近位端に向かって延びている、請求項４に記載のアダプタ。
【請求項６】
前記内側凸部の前記内部表面から内向きに延びている第１の内側突起と、前記外側凸部の前記内部表面から前記第１の内側突起に向かって内向きに延びている第２の内側突起とをさらに備えている、請求項５に記載のアダプタ。
【請求項７】
前記第１の内側突起および前記第２の内側突起は、標準フックワイパアームおよび大型フックワイパアームと係合するように構成され、前記標準フックワイパアームおよび大型フックワイパアームは、前記アダプタの前記近位端を通して前記空洞の中に選択的に受け取られる、請求項６に記載のアダプタ。
【請求項８】
前記上側本体は、内側壁区分と、外側壁区分と、前記内側壁区分と前記外側壁区分との間に架かる上壁区分とを含み、略逆Ｕ字形構成を画定し、前記上壁区分は、切り抜きを画定し、前記内側壁区分と前記外側壁区分とは、一対の整列させられた上側横開口部を協働して画定し、前記切り抜きおよび前記一対の整列させられた上側横開口部は、サイドピンワイパアームおよびサイドピンオフセットワイパアームを前記アダプタに選択的に接続するために、前記サイドピンワイパアームおよび前記サイドピンオフセットワイパアームと協働するように構成されている、請求項５に記載のアダプタ。
【請求項９】
前記内側本体の前記内側凸部は、内側凸部近位開口部を画定し、前記内側本体の前記外側凸部は、外側凸部近位開口部を画定し、前記外側壁区分は、サイドロック２５０ワイパアームを受け取るために、前記内側凸部近位開口部および前記外側凸部近位開口部と位置合わせされた近位横開口部を画定する、請求項８に記載のアダプタ。
【請求項１０】
前記アダプタは、前記内側凸部近位開口部と前記外側凸部近位開口部との間に延びている横軸を画定し、前記上壁区分は、前記横軸に沿って配置された横タブを含み、前記横タブは、前記サイドロック２５０ワイパアームに係合し、前記サイドロック２５０ワイパアームを前記アダプタに接続する、請求項９に記載のアダプタ。
【請求項１１】
前記複数のタブは、上側近位タブを含み、前記上側本体は、内側壁区分と、外側壁区分と、前記内側壁区分と前記外側壁区分との間に架かる上壁区分とを含み、略逆Ｕ字形構成を画定し、前記上壁区分は、第１の近位端スロットおよび第２の近位端スロットを画定し、前記第１の近位端スロットおよび第２の近位端スロットの各々は、前記近位端から前記遠位端に向かって縦方向に延び、前記上側近位タブを画定し、近位返しが、前記上側近位タブから前記下側本体に向かって下向きに延び、押しボタン１９ｍｍワイパアーム、押しボタン２２ｍｍアーム、押しボタン２２ｍｍ短ワイパアーム、およびｆｚワイパアームに係合し、前記押しボタン１９ｍｍワイパアーム、前記押しボタン２２ｍｍアーム、前記押しボタン２２ｍｍ短ワイパアーム、および前記ｆｚワイパアームを前記アダプタに選択的に接続する、請求項５に記載のアダプタ。
【請求項１２】
前記内側本体に弾性的に取り付けられたウェッジをさらに備え、前記ウェッジは、前記内側本体と前記押しボタン２２ｍｍアームおよび前記押しボタン２２ｍｍ短ワイパアームとの間で側方に配置されている、請求項１１に記載のアダプタ。
【請求項１３】
前記ウェッジは、前記上側本体の前記内側壁区分に向かって前記押しボタン２２ｍｍアームおよび前記押しボタン２２ｍｍ短ワイパアームに側方付勢力を及ぼすために、前記アダプタの前記近位端から前記アダプタの前記遠位端に向かって、前記内側本体の前記内側凸部の前記外部表面から延びている、請求項１２に記載のアダプタ。
【請求項１４】
前記内側本体に弾性的に取り付けられたウェッジをさらに備え、前記ウェッジは、前記上側本体の前記内側壁と前記押しボタン１９ｍｍワイパアームおよび前記ｆｚワイパアームとの間で側方に配置されている、請求項１１に記載のアダプタ。
【請求項１５】
前記ウェッジは、前記内側本体の前記内側凸部の前記外部表面に向かって前記押しボタン１９ｍｍワイパアームおよび前記ｆｚワイパアームに側方付勢力を及ぼすために、前記アダプタの前記近位端から前記アダプタの前記遠位端に向かって、前記内側本体の前記内側凸部の前記外部表面から延びている、請求項１４に記載のアダプタ。
【請求項１６】
前記複数のタブは、上側遠位タブを含み、前記上側本体は、内側壁区分と、外側壁区分と、前記内側壁区分と前記外側壁区分との間に架かる上壁区分とを含み、略逆Ｕ字形構成を画定し、前記上壁区分は、第１の遠位スロットおよび第２の近位スロットを画定し、前記第１の遠位スロットおよび第２の近位スロットの各々は、前記遠位端から前記近位端に向かって縦方向に延び、上側遠位タブを画定し、遠位返しが、前記上側遠位タブから前記下側本体に向かって下向きに延び、ピンチタブワイパアームに係合し、前記ピンチタブワイパアームを前記アダプタに接続する、請求項５に記載のアダプタ。
【請求項１７】
前記内側本体に弾性的に取り付けられたウェッジをさらに備え、前記ウェッジは、前記上側本体の前記内側壁と前記ピンチタブワイパアームとの間で側方に配置され、前記ウェッジは、前記内側本体の前記内側凸部の前記外部表面に向かって前記ピンチタブワイパアームに側方付勢力を及ぼすために、前記アダプタの前記近位端から前記アダプタの前記遠位端に向かって、前記内側本体の前記内側凸部の前記外部表面から延びている、請求項１６に記載のアダプタ。
【請求項１８】
前記複数のタブは、前記内側本体の交差部材から延びている下側遠位タブを含み、前記上側本体は、内側壁区分と、外側壁区分と、前記内側壁区分と前記外側壁区分との間に架かる上壁区分とを含み、略逆Ｕ字形構成を画定し、下側遠位返しが、前記上側本体の前記上壁区分から離れるように前記下側遠位タブから延び、前記下側本体は、下側横開口部を画定し、前記下側横開口部は、前記下側遠位タブと協働し、サイドロック１８８ワイパアームを前記アダプタと接続するように構成されている、請求項５に記載のアダプタ。
【請求項１９】
ワイパ要素をアダプタと接続する結合器であって、前記結合器は、
前記結合器および前記アダプタを一緒に旋回可能に接続するポストであって、前記ポストは、旋回軸を画定し、前記アダプタは、前記旋回軸の周りで旋回し、前記ポストは、前記旋回軸に直交する面において長円形断面を画定する、ポストと、
前記アダプタに面しているアダプタ接面を含む後壁と
を備え、
前記アダプタ接面は、前記ポストの前記旋回軸に略直交する、結合器。
【請求項２０】
前記ポストは、第１のポスト部分と第２のポスト部分とを含み、前記第１のポスト部分および前記第２のポスト部分は、前記旋回軸上に配置されるが、互いに側方に間隔を置かれている、請求項１９に記載の結合器。
【請求項２１】
前記ポストは、一対の平面によって分離された一対の曲面を含む、請求項１９に記載の結合器。
【請求項２２】
前記後壁に略直交する基礎表面を伴う基礎壁と、前記結合器の前記アダプタ接面から前記関連付けられたアダプタに向かって延びている限界レッジとをさらに備えている、請求項２１に記載の結合器。
【請求項２３】
前記結合器は、前記旋回軸の周りで前記基礎表面から前記限界レッジに及ぶ第１の夾角と、第２の夾角とを画定し、前記第２の夾角は、前記基礎表面から、前記旋回軸を通して延び、前記ポストの前記対の平面と平行である線に及び、前記第２の夾角は、前記第１の夾角より大きい、請求項２２に記載の結合器。
【請求項２４】
前記第２の夾角は、９０度に等しい、請求項２３に記載の結合器。
【請求項２５】
ワイパセットであって、前記ワイパセットは、
請求項１または請求項２のいずれかのアダプタであって、前記アダプタは、アダプタ取り付けマウント含み、前記アダプタ取り付けマウントは、略平行な進入通路側壁によって画定される進入通路を有する、アダプタと、
前記アダプタを旋回可能に受け取る結合器と
を備え、
前記結合器は、旋回軸を画定するポストであって、前記アダプタは、前記旋回軸の周りで旋回する、ポストと、前記アダプタに面するアダプタ接面を含む後壁とを含む、
ワイパセット。
【請求項２６】
前記進入通路は、前記結合器をスライドして受け取るように構成され、前記旋回通路は、前記結合器を旋回可能に受け取るように構成されている、請求項２５に記載のワイパセット。
【請求項２７】
前記ポストは、前記旋回軸に直交する面において長円形断面を画定し、一対の平面によって分離された一対の曲面を含み、前記ワイパセットは、前記ポストが前記進入通路の中に受け取られ、アダプタが旋回可能でないときの据え付けモードと、前記ポストが前記旋回通路の中に受け取られ、前記アダプタが旋回可能であるときの動作モードとを画定する、請求項２５に記載のワイパセット。
【請求項２８】
前記アダプタと前記結合器とが互いに分離可能である分離可能段階と、前記アダプタと前記結合器とが互いに分離可能でない非除去可能段階とに前記動作モードを分割するために、前記アダプタのストップ部材と接触するために前記結合器の前記アダプタ接面から前記アダプタに向かって延びている限界レッジをさらに備えている、請求項２７に記載のワイパセット。
【請求項２９】
前記結合器は、前記アダプタの受け取りのためのくぼみを含み、前記くぼみは、床と、前記結合器の反対側の縦端に配置された近位壁および遠位壁と、前記結合器の反対側の側方端に配置された前壁および前記後壁とによって境を限られている、請求項２５に記載のワイパセット。
【請求項３０】
前記結合器の前記ポストは、前記旋回軸上に配置され、互いに側方に間隔を置かれた第１のポスト部分および第２のポスト部分を含み、前記結合器は、前記床から上向きに延びているストップウィングをさらに含み、前記ストップウィングは、前記前壁、前記後壁、前記近位壁、および前記遠位壁から間隔を置かれ、前記ストップウィングは、前記第１のポスト部分と前記第２のポスト部分との間で側方に配置され、それらから間隔を置かれている、請求項２９に記載のワイパセット。
【請求項３１】
前記アダプタの前記アダプタ取り付けマウントは、前記アダプタの反対側の側方端に配置された内側アダプタ取り付けマウントおよび外側取り付けマウントを含み、前記内側取り付けマウントおよび前記外側取り付けマウントは、それぞれ、前記結合器の前記第２のポスト部分および前記第１のポスト部分に係合するように構成され、前記アダプタは、前記ストップウィングとの係合のために前記アダプタの底壁区分から下向きに延びているストップ部材を含む、請求項３０に記載のワイパセット。
【請求項３２】
前記アダプタの前記ストップ部材は、前記内側取り付けマウントと前記外側取り付けマウントとの間で側方に配置され、前記ストップ部材は、前記ストップウィングと相互作用し、前記結合器に対する前記アダプタのための克服可能な旋回停止を戻り止め様式で提供する、請求項３１に記載のワイパセット。
【手続補正２】
【補正対象書類名】明細書
【補正対象項目名】全文
【補正方法】変更
【補正の内容】
【発明の詳細な説明】
【背景技術】
【０００１】
（関連出願に対する相互参照）
本願は、（ＷＯ２０１９／１６１３４８として公開された）２０１９年２月１９日に出願された国際出願番号ＰＣＴ／ＵＳ２０１９／０１８４６２の国内段階であり、これは、２０１８年２月１９日に出願された米国特許仮出願第６２／６３２，１９９号および２０１８年８月２日に出願された米国仮特許出願第６２／７１３，７１２号に対する利益を主張する。上記出願の内容全体は、参照により、本明細書に記載されているかのように組み込まれる。
【０００２】
車両製造業者は、種々のフロントガラスワイパアームおよびワイピング要素を利用する。理解されるであろうように、ワイピング要素は、時間と共に磨耗し、交換を要求する。しかしながら、ワイパアームの多様性に起因して、エンドユーザは、エンドユーザの車両のワイパアームと適合性がある適切なワイピング要素が選択されることを確実にするために圧倒的な数の選択肢に直面している。したがって、エンドユーザが、エンドユーザの車両上に存在するワイパアームのタイプから独立した種々のワイピング要素を利用することを可能にするアダプタおよび結合器の必要性がある。
【発明の概要】
【課題を解決するための手段】
【０００３】
前述に照らして、アダプタは、ワイパ要素と接続された結合器と接続する。アダプタは、各々が異なるワイパアームスタイルを有する複数の異なるワイパアームの各々の遠位端または遠位端特徴を受け取るための空洞および開口部を有する本体を含む。
【０００４】
別の側面によると、結合器は、ワイパ要素をアダプタと接続し、結合器は、それの周りで関連付けられたアダプタが旋回する旋回軸を画定するように、結合器および関連付けられたアダプタを一緒に旋回可能に接続するポストを含む。ポストは、旋回軸に直交する面において長円形断面を画定する。結合器は、関連付けられたアダプタに面し、ポストの旋回軸に略直交するアダプタ接面を含む後壁も含む。
【０００５】
別の側面によると、ワイパセットは、少なくとも１つのワイパアームを受け取るように構成されたアダプタを含む。アダプタは、進入通路側壁の間に延びている進入通路幅を画定する略平行な進入通路側壁によって画定される進入通路と、進入通路側壁と流体連通するように進入通路側壁の中に終端する優弧を有する旋回通路側壁によって画定される旋回通路とを有するアダプタ取り付けマウントを含む。ワイパセットは、アダプタを旋回可能に受け取る結合器も含む。結合器は、それの周りでアダプタが旋回する旋回軸を画定するポストと、アダプタに面するアダプタ接面を含む後壁とを含む。
本発明は、例えば、以下を提供する。
（項目１）
ワイパ要素と接続された結合器と接続するためのアダプタであって、前記アダプタは、複数の異なるワイパアームの各々の遠位端または遠位端特徴を受け取るための空洞および開口部を有する本体を備え、前記複数の異なるワイパアームの各々は、異なるワイパアームスタイルを有する、アダプタ。
（項目２）
前記本体は、上側本体および下側本体を含み、前記上側本体と前記下側本体とは、前記アダプタの近位端から前記アダプタの遠位端に向かって延びている前記空洞を協働して画定し、前記空洞は、前記アダプタの前記近位端を通して標準フックワイパアームおよび大型フックワイパアームを選択的に受け取るように構成され、前記下側本体は、前記大型フックワイパアームに選択的に係合する第１の下側タブと、前記標準フックワイパアームに選択的に係合する第２の下側タブとを含む、項目１に記載のアダプタ。
（項目３）
前記第２の下側タブは、前記アダプタの平面図において前記第１の下側タブと前記アダプタの前記遠位端との間にある、項目２に記載のアダプタ。
（項目４）
前記本体は、前記上側本体と前記下側本体との間に位置付けられた内側本体をさらに備え、前記内側本体は、互いに反対側にある内側本体内部表面および内側本体外部表面を伴う内側凸部と、前記内側凸部の方に面する外側凸部内部表面および前記内側凸部から離れる方に面する外側凸部外部表面を伴う外側凸部と、前記内側凸部と前記外側凸部とを一緒に接続する交差部材とを含み、前記内側凸部および前記外側凸部は、前記交差部材から前記近位端に向かって延びている、項目３に記載のアダプタ。
（項目５）
前記内側凸部の前記内部表面から内向きに延びている内側凸部内側突起と、前記外側凸部の前記内部表面から前記内側凸部内側突起に向かって内向きに延びている外側凸部内側突起とをさらに備えている、項目４に記載のアダプタ。
（項目６）
前記外側凸部は、分岐スロットを画定し、前記分岐スロットは、前記外側凸部の固定部分とフィンガ部分とを作成し、前記外側凸部の前記フィンガ部分は、弾性的に変形可能である、項目４に記載のアダプタ。
（項目７）
前記アダプタは、前記近位端と前記遠位端との間に延びている縦軸を画定し、前記内側凸部内側突起および前記外側凸部内側突起は、前記アダプタの平面図において前記縦軸に沿って前記第１の下側タブと前記第２の下側タブとの間に配置されている、項目５に記載のアダプタ。
（項目８）
前記上側本体は、内側壁区分と、外側壁区分と、前記内側壁区分と前記外側壁区分との間に架かる上壁区分とを含み、略逆Ｕ字形構成を画定し、前記上壁区分は、切り抜きを画定し、前記内側壁区分と前記外側壁区分とは、一対の整列させられた上側横開口部を協働して画定し、前記切り抜きおよび前記一対の整列させられた上側横開口部は、サイドピンワイパアームおよびサイドピンオフセットワイパアームを前記アダプタに接続するために、前記サイドピンワイパアームおよび前記サイドピンオフセットワイパアームと協働する、項目４に記載のアダプタ。
（項目９）
前記内側本体の前記内側凸部は、内側凸部近位開口部を画定し、前記内側本体の前記外側凸部は、外側凸部近位開口部を画定し、前記外側壁区分は、サイドロック２５０ワイパアームを受け取るために、前記内側凸部近位開口部および前記外側凸部近位開口部と位置合わせされた近位横開口部を画定する、項目８に記載のアダプタ。
（項目１０）
前記アダプタは、前記内側凸部近位開口部と前記外側凸部近位開口部との間に延びている横軸を画定し、前記上壁区分は、前記平面図において前記横軸に沿って配置された横タブを含み、前記横タブは、前記サイドロック２５０ワイパアームに係合し、前記サイドロック２５０ワイパアームを前記アダプタに接続する、項目９に記載のアダプタ。
（項目１１）
前記上側本体は、内側壁区分と、外側壁区分と、前記内側壁区分と前記外側壁区分との間に架かる上壁区分とを含み、略逆Ｕ字形構成を画定し、前記上壁区分は、第１の近位端スロットおよび第２の近位端スロットを画定し、前記第１の近位端スロットおよび第２の近位端スロットの各々は、前記近位端から前記遠位端に向かって縦方向に延び、上側近位タブを画定し、近位返しが、前記上側近位タブから前記下側本体に向かって下向きに延び、押しボタン１９ｍｍワイパアーム、押しボタン２２ｍｍアーム、押しボタン２２ｍｍ短ワイパアーム、およびｆｚワイパアームに係合し、前記押しボタン１９ｍｍワイパアーム、前記押しボタン２２ｍｍアーム、前記押しボタン２２ｍｍ短ワイパアーム、および前記ｆｚワイパアームを前記アダプタに接続する、項目４に記載のアダプタ。
（項目１２）
前記内側本体に弾性的に取り付けられたウェッジをさらに備え、前記ウェッジは、前記内側本体と前記押しボタン２２ｍｍアームおよび前記押しボタン２２ｍｍ短ワイパアームとの間で側方に配置されている、項目１１に記載のアダプタ。
（項目１３）
前記ウェッジは、前記上側本体の前記内側壁区分に向かって前記押しボタン２２ｍｍアームおよび前記押しボタン２２ｍｍ短ワイパアームに側方付勢力を及ぼすために、前記アダプタの前記近位端から前記アダプタの前記遠位端に向かって、前記内側本体の前記内側凸部の前記外部表面から延びている、項目１２に記載のアダプタ。
（項目１４）
前記内側本体に弾性的に取り付けられたウェッジをさらに備え、前記ウェッジは、前記上側本体の前記内側壁と前記押しボタン１９ｍｍワイパアームおよび前記ｆｚワイパアームとの間で側方に配置されている、項目１１に記載のアダプタ。
（項目１５）
前記ウェッジは、前記内側本体の前記内側凸部の前記外部表面に向かって前記押しボタン１９ｍｍワイパアームおよび前記ｆｚワイパアームに側方付勢力を及ぼすために、前記アダプタの前記近位端から前記アダプタの前記遠位端に向かって、前記内側本体の前記内側凸部の前記外部表面から延びている、項目１４に記載のアダプタ。
（項目１６）
前記上側本体は、内側壁区分と、外側壁区分と、前記内側壁区分と前記外側壁区分との間に架かる上壁区分とを含み、略逆Ｕ字形構成を画定し、前記上壁区分は、第１の遠位スロットおよび第２の近位スロットを画定し、前記第１の遠位スロットおよび第２の近位スロットの各々は、前記遠位端から前記近位端に向かって縦方向に延び、上側遠位タブを画定し、遠位返しが、前記上側遠位タブから前記下側本体に向かって下向きに延び、ピンチタブワイパアームに係合し、前記ピンチタブワイパアームを前記アダプタに接続する、項目４に記載のアダプタ。
（項目１７）
前記内側本体に弾性的に取り付けられたウェッジをさらに備え、前記ウェッジは、前記上側本体の前記内側壁と前記ピンチタブワイパアームとの間で側方に配置され、前記ウェッジは、前記内側本体の前記内側凸部の前記外部表面に向かって前記ピンチタブワイパアームに側方付勢力を及ぼすために、前記アダプタの前記近位端から前記アダプタの前記遠位端に向かって、前記内側本体の前記内側凸部の前記外部表面から延びている、項目１６に記載のアダプタ。
（項目１８）
前記内側本体の交差部材から延びている下側遠位タブをさらに備え、前記上側本体は、内側壁区分と、外側壁区分と、前記内側壁区分と前記外側壁区分との間に架かる上壁区分とを含み、略逆Ｕ字形構成を画定し、下側遠位返しが、前記上側本体の前記上壁区分から離れるように前記下側遠位タブから延び、前記下側本体は、下側横開口部を画定し、前記下側横開口部は、前記下側遠位タブと協働し、サイドロック１８８ワイパアームを前記アダプタと接続する、項目４に記載のアダプタ。
（項目１９）
ワイパ要素をアダプタと接続する結合器であって、前記結合器は、
前記結合器および前記関連付けられたアダプタを一緒に旋回可能に接続するポストであって、前記ポストは、旋回軸を画定し、前記関連付けられたアダプタは、前記旋回軸の周りで旋回し、前記ポストは、前記旋回軸に直交する面において長円形断面を画定する、ポストと、
前記関連付けられたアダプタに面しているアダプタ接面を含む後壁と
を備え、
前記アダプタ接面は、前記ポストの前記旋回軸に略直交する、結合器。
（項目２０）
前記ポストは、第１のポスト部分と第２のポスト部分とを含み、前記第１のポスト部分および前記第２のポスト部分は、前記旋回軸上に配置されるが、互いに側方に間隔を置かれている、項目１９に記載の結合器。
（項目２１）
前記ポストは、前記旋回軸に直交する面において長円形断面を画定し、一対の平面によって分離された一対の曲面を含む、項目１９に記載の結合器。
（項目２２）
前記後壁に略直交する基礎表面を伴う基礎壁と、前記結合器の前記アダプタ接面から前記関連付けられたアダプタに向かって延びている限界レッジとをさらに含む、項目２１に記載の結合器。
（項目２３）
前記結合器は、前記旋回軸の周りで前記基礎表面から前記限界レッジに及ぶ第１の夾角と、第２の夾角とを画定し、前記第２の夾角は、前記基礎表面から、前記旋回軸を通して延び、前記ポストの前記対の平面と平行である線に及び、前記第２の夾角は、前記第１の夾角より大きい、項目２２に記載の結合器。
（項目２４）
前記第２の夾角は、９０度に等しい、項目２３に記載の結合器。
（項目２５）
ワイパセットであって、前記ワイパセットは、
少なくとも１つのワイパアームを受け取るように構成されたアダプタであって、前記アダプタは、アダプタ取り付けマウント含み、前記アダプタ取り付けマウントは、略平行な進入通路側壁によって画定される進入通路であって、前記略平行な進入通路側壁は、前記進入通路側壁の間に延びている進入通路幅を画定する、進入通路と、旋回通路とを有し、前記旋回通路は、前記進入通路側壁の中に終端する優弧を有する旋回通路側壁によって画定され、前記進入通路側壁と流体連通する、アダプタと、
前記アダプタを旋回可能に受け取る結合器と
を備え、
前記結合器は、旋回軸を画定するポストであって、前記アダプタは、前記旋回軸の周りで旋回する、ポストと、前記アダプタに面するアダプタ接面を含む後壁とを含む、
ワイパセット。
（項目２６）
前記進入通路は、前記結合器をスライドして受け取るように構成され、前記旋回通路は、前記結合器を旋回可能に受け取るように構成されている、項目２５に記載のワイパセット。
（項目２７）
前記旋回通路の前記優弧は、前記進入通路幅より大きい旋回通路直径を画定する、項目２５に記載のワイパセット。
（項目２８）
前記ポストは、前記旋回軸に直交する面において長円形断面を画定し、一対の平面によって分離された一対の曲面を含み、前記ワイパセットは、前記ポストが前記進入通路の中に受け取られ、アダプタが旋回可能でないときの据え付けモードと、前記ポストが前記旋回通路の中に受け取られ、前記アダプタが旋回可能であるときの動作モードとを画定する、項目２５に記載のワイパセット。
（項目２９）
前記アダプタと前記結合器とが互いに分離可能である分離可能段階と、前記アダプタと前記結合器とが互いに分離可能でない非除去可能段階とに前記動作モードを分割するために、前記アダプタのストップ部材と接触するために前記結合器の前記アダプタ接面から前記アダプタに向かって延びている限界レッジをさらに含む、項目２８に記載のワイパセット。
（項目３０）
前記結合器は、前記アダプタの受け取りのためのくぼみを含み、前記くぼみは、床と、前記結合器の反対側の縦端に配置された近位壁および遠位壁と、前記結合器の反対側の側方端に配置された前壁および前記後壁とによって境を限られている、項目２５に記載のワイパセット。
（項目３１）
前記結合器の前記ポストは、前記旋回軸上に配置され、互いに側方に間隔を置かれた第１のポスト部分および第２のポスト部分を含み、前記結合器は、前記床から上向きに延びているストップウィングをさらに含み、前記ストップウィングは、前記前壁、前記後壁、前記近位壁、および前記遠位壁から間隔を置かれ、前記ストップウィングは、前記結合器の平面図において前記第１のポスト部分と前記第２のポスト部分との間で側方に配置され、それらから間隔を置かれている、項目３０に記載のワイパセット。
（項目３２）
前記アダプタの前記アダプタ取り付けマウントは、前記アダプタの反対側の側方端に配置された内部アダプタ取り付けマウントおよび外側取り付けマウントを含み、前記内側取り付けマウントおよび前記外側取り付けマウントは、それぞれ、前記結合器の前記第２のポスト部分および前記第１のポスト部分に係合するように構成され、前記アダプタは、前記ストップウィングとの係合のために前記アダプタの底壁区分から下向きに延びているストップ部材を含む、項目３１に記載のワイパセット。
（項目３３）
前記アダプタの前記ストップ部材は、前記内側取り付けマウントと前記外側取り付けマウントとの間で側方に配置され、前記ストップ部材は、前記ストップウィングと相互作用し、前記結合器に対する前記アダプタのための克服可能な旋回停止を戻り止め様式で提供する、項目３２に記載のワイパセット。
【図面の簡単な説明】
【０００６】
【図１】図１は、複数のワイパアームおよび結合器を伴うフロントガラスワイパアセンブリの斜視図である。
【０００７】
【図２Ａ】図２Ａは、動作モードの非除去可能段階におけるワイパセットの斜視図である。
【０００８】
【図２Ｂ】図２Ｂは、第１の夾角（ｉｎｃｌｕｓｉｖｅ  ａｎｇｌｅ）を示す互いに分離された結合器およびアダプタの斜視図である。
【０００９】
【図２Ｃ】図２Ｃは、ワイパセットの斜視図である。
【００１０】
【図２Ｄ】図２Ｄは、据え付けモードにおけるワイパセットの部分斜視図である。
【００１１】
【図２Ｅ】図２Ｅは、動作モードの除去可能段階におけるワイパセットの斜視図である。
【００１２】
【図２Ｆ】図２Ｆは、代替ワイパセットの斜視図である。
【００１３】
【図２Ｇ】図２Ｇは、代替結合器の斜視図である。
【００１４】
【図２Ｈ】図２Ｈは、代替アダプタの斜視図である。
【００１５】
【図２Ｉ】図２Ｉは、最長寸法と平行な面に沿ってストップ壁を通して得られた図２Ｈの代替アダプタの前端部分の断面図である。
【００１６】
【図２Ｊ】図２Ｊは、最長寸法と平行な面に沿ってストップウィングを通して得られた図２Ｇの代替結合器の断面図である。
【００１７】
【図３】図３は、図１のアダプタの分解正面斜視図である。
【００１８】
【図４】図４は、図１のアダプタの分解後面斜視図である。
【００１９】
【図５】図５は、アダプタ下側本体およびアダプタ内側本体の平面図である。
【００２０】
【図６】図６は、アダプタ上側本体の底面斜視図である。
【００２１】
【図７】図７は、アダプタの上側遠位端斜視図である。
【００２２】
【図８】図８は、図７に示されるアダプタの上側近位端斜視図である。
【００２３】
【図９】図９は、図７に示されるアダプタの分解斜視図である。
【００２４】
【図１０】図１０は、図９に示されるアダプタの反対側を示す別の分解斜視図である。
【００２５】
【図１１】図１１は、アダプタの斜視図である。
【００２６】
【図１２】図１２は、図１１のアダプタの分解斜視図である。
【００２７】
【図１３】図１３は、図１１のアダプタの下側本体の上面図である。
【００２８】
【図１４】図１４は、図１１のアダプタの上側本体の底面図である。
【００２９】
【図１５】図１５は、アダプタの正面斜視図である。
【００３０】
【図１６】図１６は、図１５のアダプタの底正面斜視図である。
【００３１】
【図１７】図１７は、図１５のアダプタの底後面斜視図である。
【００３２】
【図１８】図１８は、アダプタの正面斜視図である。
【００３３】
【図１９】図１９は、図１８のアダプタの底正面斜視図である。
【００３４】
【図２０】図２０は、図１８のアダプタの底後面斜視図である。
【発明を実施するための形態】
【００３５】
図１は、車両（図示せず）のガラスフロントガラスを清掃するために有用なフロントガラスワイパアセンブリ２０を描写する。フロントガラスワイパアセンブリ２０は、概して、エアフォイルに搭載されるワイピング要素２２を含み、エアフォイルは、遠位エアフォイル２４および近位エアフォイル２６を含み得る。近位エアフォイル２６は、ワイパモータ（図示せず）のより近くに位置付けられ、ワイパモータは、フロントガラスワイパアセンブリ２０を駆動し、フロントガラスを横断してフロントガラスワイパアセンブリ２０を移動させる。遠位エアフォイル端部キャップ２８は、遠位エアフォイル２４の遠位端に取り付けられる。近位エアフォイル端部キャップ３２は、近位エアフォイル２６の近位端に取り付けられる。ワイパセット３１は、結合器３４と、アダプタ５０とを含むことができる。
【００３６】
図１はまた、押しボタン１９ｍｍワイパアーム５２と、標準フックワイパアーム５４と、ピンチタブワイパアーム５６と、押しボタン２２ｍｍ短ワイパアーム５８と、押しボタン２２ｍｍワイパアーム６０と、サイドロック１８８ワイパアーム６２と、サイドピンワイパアーム６４と、大型フックワイパアーム６６と、サイドピンオフセットワイパアーム６８と、ｆｚワイパアーム６９と、サイドロック２５０ワイパアーム７１とを含む種々のワイパアームも図示する。結合器３４は、遠位エアフォイル２４と近位エアフォイル２６との間の中間位置に沿って配置され、それらと接続される。ばね（不可視）が、フロントガラスに向かってワイピング要素を押しやるように、エアフォイル２４、２６とワイピング要素２２との間に提供されることができる。
【００３７】
図２Ａ−２Ｅを参照すると、結合器３４は、アダプタ接面３８を画定する後壁３６を含む。結合器３４は、一体的に形成されたポスト３５であり得るアダプタ取り付け部も含む。ポスト３５は、結合器３４とアダプタ５０との間の旋回接続を可能にする。ポストは、旋回軸３７を画定し、関連付けられたアダプタ５０が、それの周りで旋回する。さらに、ポスト３５は、旋回軸３７に直交する面において長円形断面を画定することができる。
【００３８】
結合器３４の後壁３６は、旋回軸３７に略直交し得る。ポストは、旋回軸３７上に配置され、互いに側方に間隔を置かれ得る第１のポスト部分３５ａと第２のポスト部分３５ｂとを含むことができる。ポスト３５は、一対の平面４５ａ、４５ｂによって分離された一対の曲面４３ａ、４３ｂを含むこともできる。
【００３９】
結合器３４は、後壁３６に略直交する基礎表面４７ａを伴う基礎壁４７も含むこともできる。結合器３４は、以降でより詳細に説明されるであろうように、アダプタ５０のストップ部材５１と接触するためにアダプタ接面４１からアダプタ５０に向かって延びている限界レッジ４９も含むことができる。
【００４０】
結合器３４は、旋回軸３７周りで基礎表面４７ａから限界レッジ４９まで延びている第１の夾角５３と、旋回軸３７を通して延び、ポスト３５の一対の平面４５ａ、４５ｂと平行である線まで基礎表面４７ａから延びている第２の夾角５５とを画定することができる。第２の夾角５５は、第１の夾角５３より大きくあり得、９０度に等しくあり得る。
【００４１】
アダプタ５０は、本開示の範囲から逸脱することなく、例えば、プラスチックおよびポリマーの種々の混成物を含む種々の材料から作製されることができる。加えて、アダプタ５０が、例えば、３−Ｄ印刷および射出成形を含む種々のプロセスによっても作製され得ることを理解されたい。アダプタ５０に関する以下の議論が、同様に以降でより詳細に説明されるであろうように、第２のアダプタ１０５０、第３のアダプタ２０５０、第４のアダプタ３０５０、および第５のアダプタ４０５０にも適用可能であることも理解されたい。
【００４２】
アダプタ５０は、進入通路５９を有するアダプタ取り付けマウント５７を含むことができ、進入通路５９は、略平行な進入通路側壁５９ａ、５９ｂによって画定され、進入通路側壁５９ａ、５９ｂは、進入通路側壁５９ａ、５９ｂ間に広がっている進入通路幅を画定する。アダプタ５０は、旋回通路６１を含むこともでき、旋回通路６１は、優弧を有する旋回通路側壁６１によって画定され、優弧は、進入通路側壁５９ａ、５９ｂの中に終端し、旋回通路６１は、進入通路側壁５９ａ、５９ｂと流体連通する。旋回通路６１の優弧は、進入通路幅より大きい旋回通路直径を画定する。進入通路５９は、結合器３４をスライドして受け取るように構成され、旋回通路６１は、結合器３４を旋回可能に受け取るように構成される。
【００４３】
図２Ｄに示されるように、ワイパセット３１は、ポスト３５が進入通路５９の中に受け取られ、アダプタ５０が旋回可能でないときの据え付けモードを画定する。ワイパセットはまた、図２Ａおよび２Ｅに図示されるように、ポスト３５が旋回通路６１の中に受け取られ、アダプタ５０が旋回可能であるときの動作モードも画定する。
【００４４】
結合器３４の限界レッジ４９とアダプタ５０のストップ部材５１とは、互いに相互作用し、図２Ｅに示されるようなアダプタ５０と結合器３４とが互いに分離可能である分離可能段階と、図２Ａに図示されるようなアダプタ５０と結合器３４とが互いに分離可能でない非除去可能段階とに動作モードを分割する。
【００４５】
アダプタ５０は、近位端７０および遠位端７２を有するワンピース本体であり得る。図２Ａ−２Ｅを継続して参照すると、アダプタ５０の近位端７０は、空洞７４に開かれている。遠位端７２は、曲線状であり、主に閉じられている。アダプタ５０は、近位端７０と遠位端７２との間に延びている縦軸６３を画定する。
【００４６】
図３−６を参照すると、アダプタ５０は、後に説明されるであろう複数の取り付け要素を含み、ワイパアーム５２−７１（図１に示される）の各々がアダプタ５０と接続することを可能にする。アダプタ５０は、押しボタン１９ｍｍワイパアーム５２、押しボタン２２ｍｍ短ワイパアーム５８、押しボタン２２ｍｍワイパアーム６０、およびｆｚワイパアーム６９と協働し、これらのワイパアーム５２、５８、６０、および６９の各々をアダプタ５０に接続する上側近位タブ７６を含む。
【００４７】
アダプタ５０はまた、ピンチタブワイパアーム５６をアダプタ５０と接続するためにピンチタブワイパアーム５６と協働する上側遠位タブ７８も含む。アダプタ５０は、サイドピンワイパアーム６４およびサイドピンオフセットワイパアーム６８をアダプタ５０に接続するために、サイドピンワイパアーム６４およびサイドピンオフセットワイパアーム６８と協働する切り抜き８２および一対の整列させられた上側横開口部８６も含む。アダプタ５０は、大型フックワイパアーム６６と協働し、大型フックワイパアーム６６をアダプタ５０と選択的に接続する第１の下側タブ９０を含む。
【００４８】
アダプタ５０は、標準フックワイパアーム５４と協働し、標準フックワイパアーム５４をアダプタ５０と選択的に接続する第２の下側タブ９２も含む。アダプタ５０は、垂直中心遠位端タブ９６および垂直下側遠位端タブ９８と協働し、サイドロック１８８ワイパアーム６２をアダプタ５０と接続する下側横開口部９４も含む。アダプタ５０は、横タブ９７と協働し、サイドロック２５０ワイパアーム７１をアダプタ５０と接続する近位横開口部９５も含む。
【００４９】
空洞７４は、押しボタン１９ｍｍワイパアーム５２、標準フックワイパアーム５４、ピンチタブワイパアーム５６、押しボタン２２ｍｍ短ワイパアーム５８、押しボタン２２ｍｍワイパアーム６０、サイドピンワイパアーム６４、大型フックワイパアーム６６、サイドピンオフセットワイパアーム６８、およびｆｚワイパアーム６９を受け取るように適切に寸法を決定される。整列させられた上側横開口部８６は、サイドピンワイパアーム６４およびサイドピンオフセットワイパアーム６８の一部を受け取り、下側横開口部９４は、サイドロック１８８ワイパアーム６２の一部を受け取り、近位横開口部９５は、サイドロック２５０ワイパアーム７１の一部を受け取る。
【００５０】
図３−４は、アダプタ５０の分解図を描写する。図示される実施形態におけるアダプタ５０は、上側本体１１０と、下側本体１１２と、上側本体１１０と下側本体１１２との間に位置付けられた内側本体１１４とを含む。上側本体１１０および下側本体１１２は、協働し、アダプタ５０の近位端７０から遠位端７２に向かって延びている空洞７４を画定する。アダプタ５０は、ワンピース本体を提供するように、最終的に組み立てられ、互いに接合された別個の部品から製造されるものとして示される。アダプタ５０は、図に示されるものより少ない別個の構成要素またはより多数の別個の構成要素から作製されることができる。
【００５１】
図示される実施形態において、上側本体１１０は、上側近位タブ７６と、上側遠位タブ７８と、切り抜き８２および整列させられた上側横開口部８６と、近位横開口部９５と、横タブ９７とを含む。近位端７０から視認されたとき、上側本体１１０は、略逆Ｕ字形構成を有し、内側壁区分１２０と、外側壁区分１２２と、内側壁区分１２０と外側壁区分１２２との間に架かる上壁区分１２４とを含む。
【００５２】
上側本体内側壁区分１２０は、内部表面１３４と、外部表面１３６とを含む。外部表面１３６は、図示される実施形態において、略平滑および平面的であり、アダプタ５０が結合器３４と接続されると、アダプタ接面３８の方に面する。上側本体外側壁区分１２２は、内部表面１４４と、外部表面１４６とを含む。
【００５３】
上側本体上壁区分１２４は、内部表面１５６と、外部表面１６２とを含む。第１の近位端スロット１６４および第２の近位端スロット１６６の各々は、近位端７０から遠位端７２に向かって縦方向に延び、上側近位タブ７６を画定する。返し１６８は、上側近位タブ７６から下向きに延び、押しボタン１９ｍｍワイパアーム５２、押しボタン２２ｍｍ短ワイパアーム５８、押しボタン２２ｍｍアーム６０、またはｆｚワイパアーム６９内に提供される開口部内に係合する（図１参照）。
【００５４】
上側本体１１０は、遠位端部分１７０も含み、第１の遠位スロット１７４および第２の遠位スロット１７６は、上側遠位タブ７８を画定する。突出部１７８は、上側遠位タブ７８から下向きに延び、ピンチタブワイパアーム５６内に提供される開口部の内側に係合する（図１参照）。切り抜き８２は、外側壁区分１２２と比較して、上側本体内側壁区分１２０のより近傍に位置する。
【００５５】
図示される実施形態において、下側本体１１２は、第１の下側タブ９０と、第２の下側タブ９２と、下側横開口部９４とを含む。近位端７０から視認されたとき（図２参照）、下側本体１１２は、略Ｕ字形構成を有し、内側壁区分２２０と、外側壁区分２２２と、内側壁区分２２０と外側壁区分２２２との間に架かる底壁区分２２４とを含む。
【００５６】
下側本体内側壁区分２２０は、内部表面２３４と、外部表面２３６を含む。外部表面２３６は、図示される実施形態において、略平滑および平面的であり、アダプタ５０が結合器３４と接続されると、アダプタ接面３８の方に面する。ストップ部材５１は、外部表面２３６からアダプタ５０のアダプタ接面３８に向かって延び、近位端７０より遠位端７２に近い。ストップ部材５１は、限界レッジ４９と相互作用し、戻り止め様式で結合器３４に対するアダプタのための克服可能な旋回停止を提供する。下側本体外側壁区分２２２は、内部表面２４４と、外部表面２４６とを含む。
【００５７】
底壁区分２２４は、内部表面２６０と、外部表面２６２とを含む。底壁区分２２４は、第１の下側タブ９０および第２の下側タブ９２を画定する。第１の下側タブ９０は、第２の下側タブ９２よりアダプタ５０の近位端７０の近くに位置付けられる。したがって、第２の下側タブ９２は、アダプタ５０の平面図において第１の下側タブ９０とアダプタ５０の遠位端７２との間にある。
【００５８】
図５を参照すると、第１の返し２６６は、第１の下側タブ９０から上向きに延び、大型フックワイパアーム６６内に提供される開口部内に係合する（図１）。第２の返し２６８は、第２の下側タブ９２から上向きに延び、標準フックワイパアーム５４内に提供される開口部内に係合する（図１）。標準フックワイパアーム５４または大型フックワイパアーム６６のいずれかのアームの遠位端が、空洞７４内に受け取られるとき、それぞれの返し２６６、２６８は、それぞれのワイパアーム５４、６６の遠位端の近くのそれぞれの開口部内に受け取られる。
【００５９】
内側本体１１４は、内側凸部３５０と、外側凸部３５２とを含む。内側凸部３５０および外側凸部３５２の各々は、内側凸部３５０および外側凸部３５２を一緒に接続する交差部材３５４から、アダプタ５０の近位端７０に向かって延びている。下側遠位タブ９８は、交差部材３５４から延びていることができる。返し３５９は、上側本体１１０の上壁区分１２４から離れるように下側遠位タブ９８から延び、下側横開口部９４と協働し、サイドロック１８８ワイパアーム６２をアダプタ５０と接続することができる。
【００６０】
内側凸部３５０は、外部表面３５６を含み、外部表面３５６は、略平面的であり、垂直に向けられ、上側本体内側壁区分１２０の内部表面１３４および下側本体内側壁区分２２０の内部表面２３４からオフセットされている。内側凸部３５０は、外側凸部３５２の方に面する内部表面３５８も含む。同様に、外側凸部３５２は、内側凸部３５０の外部表面３５６と平行な外部表面３６２を含む。外側凸部３５２は、略垂直に向けられ、内側凸部３５０の内部表面３５８と平行であり、それからオフセットされた内部表面３６４も含む。
【００６１】
内側突起３６８は、内側凸部３５０の内部表面３５８から外側凸部３５２に向かって内向きに延びている。同様に、別の内側突起３７２が、外側凸部３５２の内部表面３６４上に提供され、内側凸部３５０の方に面する。内側突起３６８および３７２は、標準フックワイパアーム５４または大型フックワイパアーム６６のいずれかが、アダプタ５０の空洞７４内に、より具体的に、内側凸部３５０と外側凸部３５２との間に受け取られるとき、標準フックワイパアーム５４および大型フックワイパアーム６６と係合する。
【００６２】
内側凸部内側突起３６８および外側凸部内側突起３７２は、アダプタ５０の平面図において縦軸６３に沿って第１の下側タブ９０と第２の下側タブ９２との間に配置される。内側凸部３５０は、内側凸部近位開口部３５１を画定し、外側凸部３５２は、外側凸部近位開口部３５３を画定する。アダプタ５０は、内側凸部近位開口部３５１と外側凸部近位開口部３５３との間に延びている横軸３５５を画定する。横タブ９７は、平面図において横軸３５５に沿って配置される。外側壁区分１２２の近位横開口部９５は、サイドロック２５０ワイパアーム７１を受け取るように内側凸部近位開口部３５１および外側凸部近位開口部３５３と位置合わせされる。
【００６３】
内側凸部３５０は、内側凸部上縁３７４を含み、外側凸部３５２は、外側凸部上縁３７６を含む。上縁３７４および３７６は、上側本体上壁区分１２４の内部表面１５６の下で垂直にオフセットされる。これは、押しボタン１９ｍｍワイパアーム５２、ピンチタブワイパアーム５６、押しボタン２２ｍｍ短ワイパアーム５８、および押しボタン２２ｍｍワイパアーム６０の（略）水平に配置された区分が空洞７４内に受け取られることを可能にする。
【００６４】
内側凸部３５０は、内側凸部下縁３７８も含み、外側凸部３５２は、外側凸部下縁３８２を含む。内側凸部３５０の下縁３７８は、外側凸部３５２の下縁３８２と同一平面にある。外側凸部３５２は、外側凸部３５２の固定部分３８６とフィンガ部分３８８とを作成する分岐スロット３８４を画定する。外側凸部３５２のフィンガ部分３８８は、弾性的に変形可能である。
【００６５】
アダプタ５０は、内側本体１１４に弾性的に取り付けられたウェッジ３９０も含む。ウェッジ３９０は、内側本体１１４の方に面する内面３９２と、内側本体１１４から外方を向き、内面３９２と反対の方向に面する外面３９４とを含む。ウェッジ３９０は、アダプタ５０の近位端７０からアダプタ５０の遠位端７２に向かって、内側本体１１４の内側凸部３５０の外部表面３５６から延びていることができる。
【００６６】
ウェッジ３９０は、上側本体１１０の内側壁区分１２０に向かって押しボタン２２ｍｍアーム６０および押しボタン２２ｍｍ短ワイパアーム５８に側方付勢力を及ぼすことができる。さらに、ウェッジ３９０は、アーム６０、５８がアダプタ５０内に受け取られるとき、内側本体１１４と押しボタン２２ｍｍアーム６０および押しボタン２２ｍｍ短ワイパアーム５８との間で側方に配置されることができる。
【００６７】
さらに依然として、ウェッジ３９０は、該ワイパアーム５２、５６、６９がアダプタ５０内に受け取られるとき、上側本体１１０の内側壁区分１２０と押しボタン１９ｍｍワイパアーム５２、ピンチタブワイパアーム５６、またはｆｚワイパアーム６９との間で側方に配置されることができる。したがって、ウェッジ３９０は、内側本体１１４の内側凸部３５０の外部表面３５６に向かって、押しボタン１９ｍｍワイパアーム５２、ピンチタブワイパアーム５６、およびｆｚワイパアーム６９に側方付勢力を及ぼすことができる。
【００６８】
図２Ｆ−２Ｊ、より具体的に、図２Ｆを参照すると、代替結合器３４’と、代替アダプタ５０’とを含む代替ワイパセット３１’が、示される。別様に記述されない限り、代替結合器３４’および代替アダプタ５０’は、それぞれ、図１−２Ｅおよび３−６に図示される、結合器３４およびアダプタ５０と同一の構造および特徴を共有する。例えば、代替アダプタ５０’は、アダプタ５０に関して前述で説明されたものと同一の様式で、図１に図示されるワイパアームの全てと係合することができる。しかしながら、代替アダプタ５０’は、以降でより詳細に説明されるであろうような様式で、代替結合器３４’と相互作用することができる。
【００６９】
代替結合器３４’は、図２Ｆに図示されるように、代替アダプタ５０’の近位端７０および遠位端７２と共通の向きを共有する近位端１１および遠位端１３を含むことができる。代替アダプタ５０’は、近位端７０と遠位端７２との間に延びている縦軸６３を画定し、代替結合器３４’は、結合器３４’の近位端１１と遠位端１３との間に延びている縦軸６３ａを画定する（図２Ｇ）。さらに、代替アダプタ５０’の近位横開口部９５は、横軸３５５を画定する。横タブ９７は、平面図において横軸３５５に沿って配置される。
【００７０】
図２Ｇおよび２Ｊを参照すると、代替結合器３４’は、アダプタ受け取りくぼみ１５を画定することができる。図示されるように、くぼみ１５は、代替結合器３４’を通した流体連通を可能にしない。しかしながら、くぼみ１５は、（すなわち、ボアとして）それを通した流体連通を可能にするように、代替結合器３４’を通して完全に延び得ることを理解されたい。
【００７１】
くぼみ１５は、代替アダプタ５０’に面する内部床面１７ａを伴う床１７によって境を限られることができる。床１７は、内部床面１７ａが面する方向と反対である方向に面する、外部床面１７ｂを含むことができる。くぼみ１５は、アダプタ接面３８’および後外部表面３６ｂ’を伴う後壁３６’、前内部表面２１ａおよび前外部表面２１ｂを伴う前壁２１、遠位内部表面２３ａを伴う遠位壁２３、および、近位内部表面２５ａを伴う近位壁２５によっても、境を限られることもできる。後壁３６’および前壁２１は、結合器３４’の反対側の側方端に配置されることができる。さらに、遠位壁２３および近位壁２５は、結合器３４’の反対側の縦端に配置される。
【００７２】
後壁３６’のアダプタ接面３８’は、前内部表面２１ａに面することができる。さらに、前内部表面２１ａは、前外部表面２１ｂが面する方向と反対である方向に面することができる。前内部表面２１ａは、アダプタ接面３８’から間隔を置かれる。さらに、遠位内部表面２３ａおよび近位内部表面２５ａは、それぞれ、代替結合器３４’の遠位端１３および近位端１１にあり、互いの方に面するように、代替結合器３４’の反対側の端に配置されることができる。遠位壁２３および近位壁２５は、協働し、後壁３６’と前壁２１とを一緒に接続することができる。
【００７３】
図２Ｇに継続して注目すると、代替結合器３４’は、一体的に形成されたポスト３５であり得るアダプタ取り付け部も含む。ポスト３５は、代替結合器３４’と代替アダプタ５０’との間の旋回接続を可能にする。ポストは、それの周りで代替アダプタ５０’が旋回する旋回軸３７を画定する。さらに、ポスト３５は、旋回軸３７に直交する面において長円形断面を画定することができる。ポスト３５は、旋回軸３７上に配置され、互いに側方に間隔を置かれ得る第１のポスト部分３５ａと第２のポスト部分３５ｂとを含むことができる。
【００７４】
後壁３６’、より具体的に、アダプタ接面３８’、前壁２１の前内部表面２１ａ、および代替結合器３４’の近位壁２５の近位内部表面２５ａは、旋回軸３７に略直交し得る。図示されるように、遠位壁２３の遠位内部表面２３ａは、遠位内部表面２３ａが、アダプタ接面３８’、前壁２１の前内部表面２１ａ、または近位壁２５の近位内部表面２５ａと同一の方向に面しないように、斜面様レイアウトを有することができる。
【００７５】
図２Ｇ、より具体的に、図２Ｊに示されるように、代替結合器３４’は、以降でより詳細に説明されるであろうように、代替アダプタ５０’のストップ部材５１’（図２Ｈ−２Ｉ）との相互作用のために代替結合器３４’の遠位端１３に配置されたストップウィング４９’を含むこともできる。図示されるように、ストップウィング４９’は、床１７、より具体的に、内部床面１７ａから上向きに延びていることができる。ストップウィング４９’は、前壁２１、後壁３６’、近位壁２５、および遠位壁２３から間隔を置かれることができる。さらに、ストップウィング４９’は、代替結合器３４’の平面図において、第１のポスト部分３５ａと第２のポスト部分３５ｂとの間で側方に配置され、それらから間隔を置かれることができる。
【００７６】
したがって、ストップウィング４９’は、旋回軸３７の下方にあるように配置されることができる。しかしながら、既に記述されたように、床１７は、排除され得、くぼみ１５は、代わりに、代替結合器３４’を通して延びているであろうボアであり得る。その状況において、ストップウィング４９’は、代わりに、結合器３４’の壁のうちの１つ以上のものに取り付けられ、それらから延び得る。
【００７７】
ストップウィング４９’は、代替結合器３４’の横方向に（すなわち、旋回軸３７と平行に）延びているストップウィング長を画定することができる。さらに、ストップウィング４９’は、代替結合器３４’の縦方向に（すなわち、縦軸６３ａと平行に）延びているストップウィング幅を画定することができる。図示されるように、ストップウィング長は、ストップウィング幅を上回る。ストップウィング４９’は、床１７から上向きにも延び、ストップウィング高さを画定する。
【００７８】
図２Ｇに示されるように、ストップウィング４９’の長さは、一定であり得る。しかしながら、ストップウィング４９’の幅は、非一定であり得る。例えば、ストップウィング４９’の幅は、ストップウィング４９’が床１７から上向きに延びるにつれて、減少し得る。図示されるように、ストップウィング４９’は、前内部表面２１ａから間隔を置かれ、後壁３６’のアダプタ接面３８’からも間隔を置かれる。
【００７９】
図２Ｈ−２Ｉに特に注目すると、代替アダプタ５０’は、上側本体１１０と、下側本体１１２’と、上側本体１１０と下側本体１１２との間に位置付けられた内側本体１１４とを含むことができる。下側本体１１２’は、略Ｕ字形構成を有し、内側壁区分２２０と、外側壁区分２２２と内側壁区分２２０と外側壁区分２２２との間に架かる底壁区分２２４’とを含むことができる。
【００８０】
アダプタ５０のように、代替アダプタ５０’は、結合器３４’と係合するためのアダプタ取り付けマウント５７を含むことができる。アダプタ取り付けマウント５７は、アダプタ５０’の遠位端７２に配置され、下側本体１１２’と一体的であり得る。アダプタ取り付けマウント５７は、代替アダプタ５０’の反対側の側方端に配置された内側取り付けマウント５７ａと外側取り付けマウント５７ｂとを含むことができる。内側取り付けマウント５７ａおよび外側取り付けマウント５７ｂは、ワイパセット３１に関して以前に説明されたように、それぞれ、代替結合器３４’の第２のポスト部分３５ｂおよび第１のポスト部分３５ａに係合するように構成される。
【００８１】
代替アダプタ５０’の下側本体１１２’は、ストップ部材５１’を含むことができる。図示されるように、ストップ部材５１’は、下側本体１１２’と一体的であり得る。ストップ部材５１’は、ストップウィング４９’と係合するために底壁区分２２４’から下向きに延びていることができる。代替アダプタ５０’のストップ部材５１’は、内側取り付けマウント５７ａと外側取り付けマウント５７ｂとの間で側方に配置されることができる。図示されるように、ストップ部材５１’は、ストップ部材５１’が外側取り付けマウント５７ｂに直接接触するように、代替アダプタ５０’の横の中心からオフセットされる。
【００８２】
ストップ部材５１’は、アダプタ５０と比較して、代替アダプタ５０’の全体的高さが増加させられないように、底壁区分２２４’から下向きに延びている。さらに、ストップ部材５１’の向きは、ストップ部材５１’の底縁５１ａ’が、内側取り付けマウント５７ａの内側取り付けマウント底縁５７ａａまたは外側取り付けマウント５７ｂの外側取り付けマウント底縁５７ｂａの下方に垂直に延びないようなものである。したがって、ストップ部材５１ａの底縁５１ａ’、内側取り付けマウント５７ａの底縁５７ａａ、および外側取り付けマウント５７ｂの底縁５７ｂａは、同一平面にあり、代替アダプタ５０’の最低水平面を画定する。
【００８３】
図２Ｉに示されるように、ストップ部材５１’は、高さ（すなわち、垂直軸に沿って延びている）が、図２Ｉでは左右方向であろう長さ（すなわち、縦軸６３に沿って延びている）を上回る薄壁構造であり得る。さらに、ストップ部材５１’は、内側取り付けマウント５７ａまたは外側取り付けマウント５７ｂのいずれかの幅に等しくあり得る幅（すなわち、横軸３５５に沿って延びている）を画定することができる。
【００８４】
代替アダプタ５０’のストップ部材５１’と代替結合器３４’のストップウィング４９’との間の相互作用は、アダプタ５０のストップ部材５１と結合器３４の限界レッジ４９との間の相互作用と同一である。すなわち、ストップ部材５１’とストップウィング４９’との間の相互作用は、戻り止め様式で代替結合器３４’に対する代替アダプタ５０’のための克服可能な旋回停止を提供する。したがって、簡潔にするために、説明は、省略される。
【００８５】
図７−１０を参照すると、第２のアダプタ１０５０が示される。第２のアダプタ１０５０は、後に説明されるであろう複数の取り付け要素を含み、ワイパアーム５２−６６の各々が第２のアダプタ１０５０と接続することを可能にする。図７を参照すると、第２のアダプタ１０５０は、押しボタン１９ｍｍワイパアーム５２、押しボタン２２ｍｍ短ワイパアーム５８、および押しボタン２２ｍｍワイパアーム６０と協働し、これらのワイパアーム５２、５８、および６０の各々を第２のアダプタ１０５０に接続する上側近位タブ１０７６を含む。
【００８６】
図７および８を具体的に参照すると、第２のアダプタ１０５０は、ピンチタブワイパアーム５６を第２のアダプタ１０５０と接続するためにピンチタブワイパアーム５６と協働する上側遠位タブ１０７８も含む。第２のアダプタ１０５０は、サイドピンワイパアーム６４を第２のアダプタ１０５０に接続するためにサイドピンワイパアーム６４と協働する切り抜き１０８２および一対の整列させられた上側横開口部１０８６も含む。
【００８７】
図９を参照すると、第２のアダプタ１０５０は、大型フックワイパアーム６６と協働し、大型フックワイパアーム６６を第２のアダプタ１０５０と接続する第１の下側タブ１０９０を含む。第２のアダプタ１０５０は、標準フックワイパアーム５４と協働し、標準フックワイパアーム５４を第２のアダプタ１０５０と接続する第２の下側タブ１０９２も含む。第２のアダプタ１０５０はまた、垂直中心遠位端タブ１０９６および垂直下側遠位端タブ１０９８と協働し、サイドロックワイパアーム６２を第２のアダプタ１０５０と接続する一対の下側横開口部１０９４も含む。空洞１０７４は、押しボタン１９ｍｍワイパアーム５２、押しボタン２２ｍｍ短ワイパアーム５８、押しボタン２２ｍｍワイパアーム６０、標準フックワイパアーム５４、大型フックワイパアーム６６、およびピンチタブワイパアーム５６を受け取るように適切に寸法を決定される。整列させられた上側横開口部１０８６は、サイドロックワイパアーム６２の一部を受け取り、整列させられた下側横開口部１０９４は、サイドピンワイパアーム６４の一部を受け取る。
【００８８】
図７は、第２のアダプタ１０５０の分解図を描写する。図示される実施形態における第２のアダプタ１０５０は、上側本体１１１０と、下側本体１１１２と、上側本体１１１０と下側本体１１１２との間に位置付けられた内側本体１１１４とを含む。第２のアダプタ１０５０は、ワンピース本体を提供するように、最終的に組み立てられ、互いに接合された別個の部品から製造されるものとして示される。第２のアダプタ１０５０は、図６−８に示されるものより少ない別個の構成要素またはより多数の別個の構成要素から作製されることができる。
【００８９】
図示される実施形態において、上側本体１１１０は、上側近位タブ１０７６と、上側遠位タブ１０７８と、切り抜き１０８２と、整列させられた上側横開口部１０８６とを含む。近位端１０７０から視認されたとき（図７参照）、上側本体１１１０は、略逆Ｕ字形構成を有し、内側壁区分１１２０と、外側壁区分１１２２と、内側壁区分１１２０と外側壁区分１１２２との間に架かる上壁区分１１２４とを含む。
【００９０】
上側本体内側壁区分１１２０は、図１０でより明確に見られる内側下縁１１３０を含む。内側位置決めフランジ１１３２は、内側下縁１１３０から下向きに垂れ、上側本体１１１０を下側本体１１１２に接続することを促進する。上側本体内側壁区分１１２０は、内部表面１１３４と、外部表面１１３６とを含む。外部表面１１３６は、図示される実施形態において、略平滑および平面的であり、第２のアダプタ１０５０が結合器３４と接続されると、アダプタ接面３８の方に面する。
【００９１】
上側本体外側壁区分１１２２も、外側下縁１１４０を含む。外側位置決めフランジ１１４２が、外側下縁１１４０から下向きに垂れている。上側本体外側壁区分１１２２は、内部表面１１４４と、外部表面１１４６とを含む。図１０を参照すると、上側ヘッド区分１１５２および上側テール区分１１５４を有する上側突起１１５０は、上側本体外側壁区分１１２２の外部表面１１４６から外向きに延びている。上側ヘッド区分１１５２は、曲線状であり、構成において略半円形である。上側テール区分１１５４は、上側ヘッド区分１１５２から延び、第２のアダプタ１０５０の近位端１０７０（図７）に向かって下向きにテーパ状になる。
【００９２】
上側本体上壁区分１１２４は、中心上側陥凹１１５８が形成される内部表面１１５６と、外部表面１１６２とを含む。第１の近位端スロット１１６４および第２の近位端スロット１１６６の各々は、近位端１０７０（図７）から遠位端１０７２（図８）に向かって縦方向に延び、上側近位タブ１０７６を画定する。返し１６８は、上側近位タブ１０７６から下向きに延び、押しボタン１９ｍｍワイパアーム５２、押しボタン２２ｍｍ短ワイパアーム５８、または押しボタン２２ｍｍアーム６０内に提供される開口部内に係合する（図１参照）。
【００９３】
上側本体１１１０は、中心切り欠き１１７２を有する遠位端部分１１７０も含む。上側遠位タブ１０７８は、中心切り欠き１１７２内に位置付けられる。図９でより明確に見られるように、第１の遠位スロット１１７４および第２の遠位スロット１１７６は、上側遠位タブ１０７８を画定する。突出部は、上側遠位タブ１０７８から下向きに延び、ピンチタブワイパアーム５６内に提供される開口部の内側に係合する（図１参照）。切り抜き１０８２は、外側壁区分１１２２と比較して、中心切り欠き１１７２の上側本体内側壁区分１１２０により近い側に位置する。
【００９４】
内側垂直細長スロットおよび外側垂直細長スロットの各々は、遠位端部分１１７０内に提供される。垂直細長スロットは、内側本体１１１４と上側本体１１１０との間の取り付けを促進する。内側ポストおよび外側ポストの各々は、内側下縁１１３０および外側下縁１１４０と同一平面にある遠位端部分下側表面から下向きに垂れ、下側本体１１１２への上側本体１１１０の取り付けを促進する。
【００９５】
図示される実施形態において、下側本体１１１２は、第１の下側タブ１０９０と、第２の下側タブ１０９２と、整列させられた下側横開口部１０９４と、垂直下側遠位端タブ１０９８とを含む。近位端１０７０から視認されたとき（図７参照）、下側本体１１１２は、略Ｕ字形構成を有し、内側壁区分１２２０と、外側壁区分１２２２と、内側壁区分１２２０と外側壁区分１２２２との間に架かる底壁区分１２２４とを含む。
【００９６】
下側本体内側壁区分１２２０は、内側上縁１２３０を含む。下側本体内側壁区分１２２０は、内部表面１２３４と、外部表面１２３６とも含む。外部表面１２３６は、図示される実施形態において、略平滑および平面的であり、第２のアダプタ１０５０が結合器３４と接続されると、アダプタ接面３８の方に面する。
【００９７】
下側本体外側壁区分１２２２も、外側上縁１２４０を含む。下側本体外側壁区分１２２２も、内部表面１２４４と、外部表面１２４６とを含む。図１０を参照すると、下側ヘッド区分１２５２および下側テール区分１２５４を有する下側突起１２５０は、下側本体外側壁区分１２２２の外部表面１２４６から外向きに延びている。下側ヘッド区分１２５２は、曲線状であり、構成において実質的に半円形である。下側テール区分１２５４は、下側ヘッド区分１２５２から延び、第２のアダプタ１０５０の近位端１０７０（図８）に向かって上向きにテーパ状になる。
【００９８】
底壁区分１２２４は、内部表面１２６０と、外部表面１２６２とを含む。逆「Ｅ」字形切り抜き１２６４は、底壁区分１２２４を通して延び、第１の下側タブ１０９０および第２の下側タブ１０９２を画定する。第１の下側タブ１０９０は、第２の下側タブ１０９２より第２のアダプタ１０５０の近位端１０７０の近くに位置付けられる。図１０を参照すると、第１の返し１２６６は、第１の下側タブ１０９０から上向きに延び、大型フックワイパアーム６６内に提供される開口部内に係合する（図１）。第２の返し１２６８は、第２の下側タブ１０９２から上向きに延び、標準フックワイパアーム５４内に提供される開口部内に係合する（図１）。
【００９９】
底壁区分１２２４は、第１の下側タブ１０９０および第２の下側タブ１０９２が位置する中心下側陥凹１２７２も含む。中心下側陥凹１２７２は、下側本体内側壁区分１２２０と下側本体外側壁区分１２２２との間で中心に位置する。中心下側陥凹１２７２は、近位端１０７０（図７参照）から遠位端１０７２に向かって延びている。標準フックワイパアーム５４および大型フックワイパアーム６６は、いずれか一方のアームの遠位端が空洞１０７４（図７）内に受け取られると、中心上側陥凹１１５８および中心下側陥凹１２７２内に受け取られ、それぞれの返し１２６６、１２６８は、それぞれのワイパアーム５４、６６の遠位端の近くのそれぞれの開口部内に受け取られる。
【０１００】
図１０に関して、内側シェルフ１２７４および外側シェルフ１２７６は、底壁区分１２２４から上向きに延びている。内側シェルフ１２７４は、下側本体内側壁区分１２２０の内部表面１２３４から内向きに延びている。外側シェルフ１２７６は、下側本体外側壁区分１２２２の内部表面１２４４から内向きに延びている。内側シェルフ１２７４および外側シェルフ１２７６は、縦中心軸に対する互いに鏡像である。したがって、内側シェルフ１２７４が、外側シェルフ１２７６が類似構成をとるという理解の下で詳細に説明されるであろう。
【０１０１】
内側シェルフ１２７４は、第２の下側タブ１０９２を画定する「Ｅ」字形切り抜き１２６４の一区分に隣接して位置付けられた垂直横表面１２７８を画定する。垂直横表面１２７８は、図示される実施形態では平面的である。内側シェルフ１２７４はまた、下側本体内側壁区分１２２０に向かった方向に中心下側陥凹１２７２から側方にオフセットされた垂直縦表面１２８２も画定する。垂直縦表面１２８２も、平面的である。内側シェルフ１２７４は、底壁区分１２２４の内部表面１２６０の上方で垂直にオフセットされた水平縦表面１２８４も画定する。水平縦表面１２８４も、平面的である。わずかに傾斜した略垂直表面１２８６が、水平縦表面１２８４から上向きに延びている。
【０１０２】
下側本体１１１２は、各々が下側本体底壁区分１２２４の外部表面１２６２から下向きに延びている第１のキャッチおよび第２のキャッチを含む。第１および第２のキャッチは、互いに協働し、アダプタ取り付けマウント４２の間に延びているポスト（図１では可視ではない）を受け取る車軸チャネルを画定するように、適切に間隔を置かれる。ポストと接続するキャッチは、第２のアダプタ１０５０を結合器３４に取り付ける１つの可能な方法にすぎない。第２のアダプタ１０５０が結合器３４に対して旋回することを可能にする他のタイプの取り付け機構も、使用され、これらの取り付け機構は、第２のアダプタ１０５０の他の表面上に位置し得る。例えば、取り付け機構が、第２のアダプタ１０５０の内側または外側に提供され得る。
【０１０３】
下側本体１１１２は、下側本体１１１２が上側本体１１１０と接続されると、上側本体遠位端部分１１７０内の上側中心切り欠き１１７２と整列させられる下側中心切り欠き１３０２を有する下側本体遠位端部分１３００も含む。垂直下側遠位端タブ１０９８は、下側中心切り欠き１３０２内に位置付けられる。突出部は、垂直下側遠位端タブ１０９８から上向きに延び、車軸が整列させられた下側横開口部１０９４のうちの１つを通して受け取られると、サイドロックワイパアーム６２（図１）上の車軸（またはピン）内に提供される環状陥凹の内側に係合する。
【０１０４】
内側垂直細長スロット１３１２および外側垂直細長スロット１３１４の各々が、下側本体遠位端部分１３００内に提供される。垂直細長スロット１３１２、１３１４は、下側本体１１１２との内側本体１１１４の取り付けを促進する。内側ポストレセプタクル１３１６および外側ポストレセプタクル１３１８の各々が、内側上縁１２３０および外側上縁１２４０と同一平面にある下側本体遠位端部分の上側表面１３２２内に提供される。上側本体１１１０が下側本体１１１２に取り付けられると、内側ポストレセプタクル１３１６は、内側ポストを受け取り、外側ポストレセプタクル１３１８は、外側ポストを受け取る。
【０１０５】
内側本体１１１４は、各々が交差部材１３５４から第２のアダプタ１０５０の近位端１０７０（図７）に向かって延びている内側凸部１３５０および外側凸部１３５２を含む。内側凸部１３５０は、略平面的であり、垂直に向けられ、上側本体内側壁区分１１２０の内部表面１１３４および下側本体内側壁区分１２２０の内部表面１２３４からオフセットされた外部表面１３５６を含む。内側凸部１３５０は、外側凸部１３５２の方に面する内部表面１３５８も含む。
【０１０６】
同様に、外側凸部１３５２は、内側凸部１３５０の外部表面１３５６と平行な外部表面３６２を含む。外側凸部１３５２は、略垂直に向けられ、内側凸部１３５０の内部表面１３５８と平行であり、それからオフセットされた内部表面１３６４も含む。内側骨形状突起１３６８（図１０）は、内側凸部１３５０の内部表面１３５８から外側凸部１３５２に向かって内向きに延びている。同様に、別の内側突起１３７２（図９）が、外側凸部１３５２の内部表面１３６４上に提供され、内側凸部１３５０の方に面する。内側突起１３６８および１３７２は、標準フックワイパアーム５４または大型フックワイパアーム６６のいずれかが、第２のアダプタ１０５０の空洞１０７４内に、より具体的に、内側凸部１３５０と外側凸部１３５２との間に受け取られると、標準フックワイパアーム５４および大型フックワイパアーム６６と係合する。
【０１０７】
内側凸部１３５０は、内側凸部上縁１３７４を含み、外側凸部１３５２は、外側凸部上縁１３７６を含む。内側凸部上縁１３７４は、外側凸部上縁１３７６と同一平面にある。上縁１３７４および１３７６は、上側本体上壁区分１１２４の内部表面１１５６の下で垂直にオフセットされる。これは、これらの前述のワイパアーム５２、５６、５８、および６０のうちのいずれかが、空洞１０７４（図７）内に受け取られると、押しボタン１９ｍｍワイパアーム５２、ピンチタブワイパアーム５６、押しボタン２２ｍｍ短ワイパアーム５８、および押しボタン２２ｍｍワイパアーム６０の（略）水平に配置された区分が、上縁１３７４、１３７６と上側本体上壁区分１１２４の内部表面１１５６との間に嵌合することを可能にする。
【０１０８】
内側凸部１３５０は、内側凸部下縁１３７８も含み、外側凸部１３７８は、外側凸部下縁１３８２を含む。内側凸部１３５０の下縁１３７８は、外側凸部１３５２の下縁１３８２と同一平面にある。下縁１３７８、１３８２の各々は、下側本体底壁区分１２２４の内部表面１２６０からオフセットされる。
【０１０９】
内側フランジ１３９０が、交差部材１３５４から離れるように延びている。外側フランジ１３９２も、交差部材１３５４から延びている。第２のアダプタ１０５０が組み立てられると、内側フランジ１３９０は、上側本体１１１０における内側垂直細長スロットおよび下側本体１１１２における内側垂直細長スロット１３１２の中に受け取られる。同様に、外側フランジ１３９２は、上側本体１１１０における外側垂直細長スロットおよび下側本体１１１２における外側垂直細長スロット１３１４の中に受け取られる。
【０１１０】
内側本体１１１４は、凸部１３５０、１３５２が延びている方向と反対の方向に交差部材１３５４から離れるように延びている垂直中心遠位端タブ１０９６も含む。垂直中心遠位端タブ１０９６は、サイドロックワイパアーム６２の車軸が整列させられた下側横開口部１０９４のうちの１つを通して受け取られるとき、サイドロックワイパアーム６２（図１）の接続を促進する。
【０１１１】
図１１−１４を参照すると、第３のアダプタ２０５０が示される。第３のアダプタ２０５０は、押しボタン１９ｍｍワイパアーム５２、押しボタン２２ｍｍ短ワイパアーム５８、押しボタン２２ｍｍワイパアーム６０、およびｆｚワイパアーム６９と協働し、これらのワイパアーム５２、５８、６０、６９の各々を第３のアダプタ２０５０に接続する上側近位タブ２０７６を含む。既に記述されたように、種々のワイパアームが、図１に図示される。第３のアダプタ２０５０は、ピンチタブワイパアーム５６を第３のアダプタ２０５０と接続するためにピンチタブワイパアーム５６と協働する上側遠位タブ２０７８も含む。
【０１１２】
第３のアダプタ２０５０は、サイドピンワイパアーム６４またはサイドピンオフセットワイパアーム６８を第３のアダプタ２０５０に接続するために、サイドピンワイパアーム６４またはサイドピンオフセットワイパアーム６８と協働する切り抜き２０８２および横遠位開口部２０８６（図１２）も含む。図１３に示されるように、第３のアダプタ２０５０は、大型フックワイパアーム６６と協働し、大型フックワイパアーム６６を第３のアダプタ２０５０と接続する第１の下側タブ２０９０をさらに含む。第３のアダプタ２０５０は、標準フックワイパアーム５４と協働し、標準フックワイパアーム５４を第３のアダプタ２０５０と接続する第２の下側タブ２０９２も含む。
【０１１３】
図１２を参照すると、第３のアダプタ２０５０は、サイドロックワイパアーム６２を受け取る近位横開口部２０９４も含む。空洞２０７４は、押しボタン１９ｍｍワイパアーム５２、標準フックワイパアーム５４、ピンチタブワイパアーム５６、押しボタン２２ｍｍ短ワイパアーム５８、押しボタン２２ｍｍワイパアーム６０、大型フックワイパアーム６６、およびｆｚワイパアーム６９を受け取るように適切に寸法を決定される。
【０１１４】
図１２に継続して注目すると、図示される実施形態における第３のアダプタ２０５０は、上側本体２１１０と、下側本体２１１２と、上側本体２１１０と下側本体２１１２との間に位置付けられた内側本体２１１４とを含む。第３のアダプタ２０５０は、ワンピース本体を提供するように、最終的に組み立てられ、互いに接合された別個の部品から製造されるものとして示される。第３のアダプタ２０５０は、示されるものより少ない別個の構成要素またはより多数の別個の構成要素から作製されることができる。
【０１１５】
上側本体２１１０は、上側近位タブ２０７６と、上側遠位タブ２０７８と、切り抜き２０８２と、横遠位開口部２０８６と、近位横開口部２０９４とを含む。近位端２０７０から視認されたとき、上側本体２１１０は、略逆Ｕ字形構成を有し、内側壁区分２１２０と、外側壁区分２１２２と、内側壁区分２１２０と外側壁区分２１２２との間に架かる上壁区分２１２４とを含む。
【０１１６】
上側本体２１１０は、近位端部分２１７０を含む。上壁区分２１２４は、それぞれ、近位端２０７０から遠位端２０７２に向かって縦方向に延び、上側近位タブ２０７６を画定する第１の近位端スロット２１６４および第２の近位端スロット２１６６を画定することができる。返し２１６８（図１４）が、上側近位タブ２０７６から下向きに延び、押しボタン１９ｍｍワイパアーム５２、押しボタン２２ｍｍ短ワイパアーム５８、押しボタン２２ｍｍアーム６０、またはｆｚワイパアーム６９内に提供される開口部内に係合する。
【０１１７】
上側本体２１１０は、遠位端部分２１７２も含み、協働して第２の上側遠位タブ２０７８を画定する第１の遠位スロット２１７４および第２の遠位スロット２１７６を画定することができる。突出部２１７８（図１４）が、上側遠位タブ２０７８から下向きに延び、ピンチタブワイパアーム５６内に提供される開口部の内側に係合する。
【０１１８】
内側本体２１１４は、互いに間隔を置かれた内側壁区分２３２０と外側壁区分２３２２とを含む。中間壁区分２３２４は、内側壁区分２３２０と外側壁区分２３２２との間に延び、遠位壁区分２３２６が、第３のアダプタ２０５０の遠位端２７２において内側壁区分２３２０および外側壁区分２３２２を一緒に接続する。内側壁区分２３２０、外側壁区分２３２２、および中間壁区分２３２４は、第３のアダプタ２０５０の近位端２０７０から視認されたとき、Ｈ字形を形成する。
【０１１９】
内側壁区分２３２０は、遠位開口部２３８６ａおよびくぼみ２３９４を画定し、外側壁区分２３２２は、遠位開口部２３８６ｂおよび近位開口部２３８８を画定する。内側壁区分２３２０の遠位開口部２３８６ａは、外側壁区分２３２２の遠位開口部２３８６ｂおよび外側壁区分２１２２の遠位開口部２０８６と位置合わせされる。
【０１２０】
開口部２３８６ａ、２３８６ｂ、２０８６は、協働して、サイドピンワイパアーム６４またはサイドピンオフセットワイパアーム６８のピンを受け取り、サイドピンワイパアーム６４またはサイドピンオフセットワイパアーム６８を第３のアダプタ２０５０に接続する。さらに、内側壁区分２３２０のくぼみ２３９４、外側壁区分２３２２の近位開口部２３８８、および上側本体２１１０の近位横開口部２０９４は、サイドロックワイパアーム６２のピンを受け取るように位置合わせされている。
【０１２１】
外側壁区分２３２２は、分岐スロット２３３０を画定し、固定部分２３３２およびフィンガ部分２３３４を作成する。理解されるであろうように、スロット２３３０は、フィンガ部分２３３４が、外側壁区分２３２２の固定部分２３３２または内側壁区分２３２０に対して移動可能であることを可能にする。したがって、フィンガ部分２３３４は、上側本体２１１０の上壁区分２１２４から離れるように選択的に曲がり、近位開口部２３８８の直径の瞬間的増加を可能にし、近位開口部２３８８よりわずかに大きい直径を有し得るサイドロックワイパアーム６２のピンの一部の通過を可能にすることができる。次いで、フィンガ部分２３３４が曲がっていない位置に戻ると、サイドロックワイパアーム６２のピンとのしっかりした嵌合が存在する。
【０１２２】
さらに、フィンガ部分２３３４は、内側壁区分２３２０から離れるように選択的に曲がり、フィンガ部分２３３４と内側壁区分２３２０との間の距離の瞬間的増加を可能にし、種々のワイパアームの一部の通過を可能にすることができる。次いで、フィンガ部分２３３４が曲がっていない位置に戻ると、ワイパアームおよび第３のアダプタ２０５０とのしっかりした嵌合が存在する。
【０１２３】
下側本体２１１２は、第１の下側タブ２０９０と、第２の下側タブ２０９２と、搭載開口部２０９６とを含む。近位端２０７０から視認されたとき、下側本体２１１２は、略Ｕ字形構成を有し、内側壁区分２２２０と、外側壁区分２２２２と、内側壁区分２２２０と外側壁区分２２２２との間に架かる底壁区分２２２４とを含む。参考として、標準フックワイパアーム５４および大型フックワイパアーム６６は、標準フックワイパアーム５４および大型フックワイパアーム６６が第３のアダプタ２０５０によって受け取られると、底壁区分２２２４と中間壁区分２３２４との間に配置される。
【０１２４】
図１５−１７を参照すると、第４のアダプタ３０５０が示される。第４のアダプタ３０５０は、近位端３２７０および遠位端３２７２を有するワンピース本体であり得る。第４のアダプタ３０５０の近位端３２７０は、空洞３２７４に開かれている。第４のアダプタ３０５０は、後に説明されるであろう複数の取り付け要素を含み、前述のワイパアームの各々が第４のアダプタ３０５０と接続することを可能にする。
【０１２５】
第４のアダプタ３０５０は、押しボタン１９ｍｍワイパアーム５２、押しボタン２２ｍｍワイパアーム６０、およびｆｚワイパアーム６９と協働し、これらのワイパアーム５２、６０、および６９の各々を第４のアダプタ３０５０に接続する上側近位タブ３５７６を含む。第４のアダプタ３０５０は、ピンチタブワイパアーム５６を第４のアダプタ３０５０と接続するためにピンチタブワイパアーム５６と協働する上側遠位タブ３５７８も含む。
【０１２６】
第４のアダプタ３０５０は、サイドピンワイパアーム６４を第４のアダプタ３０５０に接続するためにサイドピンワイパアーム６４と協働する切り抜き３４８２および横遠位開口部３４８６も含む。さらに、第４のアダプタ３０５０は、サイドロックワイパアーム６２を受け取る近位横開口部３４９４も含む。
【０１２７】
図１６を参照すると、第４のアダプタ３０５０は、大型フックワイパアーム６６と協働し、大型フックワイパアーム６６を第４のアダプタ３０５０と接続する第１の下側タブ３４９０と、標準フックワイパアーム５４と協働し、標準フックワイパアーム５４を第４のアダプタ３０５０と接続する第２の下側タブ３４９２とを含む。
【０１２８】
第４のアダプタ３０５０は、互いに間隔を置かれた内側壁区分３４２０と外側壁区分３４２２とを含む。階段状底壁区分３４２４は、第４のアダプタ３０５０の片側で内側壁区分３４２０と外側壁区分３４２２とを接続し、上壁区分３５２４は、反対側で内側壁区分３４２０と外側壁区分３４２２とを接続する。第１の中間壁区分３６２４ａおよび第２の中間壁区分３６２４ｂは、内側壁区分３４２０と外側壁区分３４２２との間に配置される。
【０１２９】
第１の中間壁区分３６２４ａおよび第２の中間壁区分３６２４ｂは、互いに間隔を置かれ、内側壁区分３４２０および外側壁区分３４２２と略平行であり得る。空洞３２７４は、押しボタン１９ｍｍワイパアーム５２、標準フックワイパアーム５４、ピンチタブワイパアーム５６、押しボタン２２ｍｍワイパアーム６０、大型フックワイパアーム６６、およびｆｚワイパアーム６９を受け取るように適切に寸法を決定される。
【０１３０】
図１５−１７、より具体的に、図１７を継続して参照すると、上壁区分３５２４は、底壁区分３４２４から間隔を置かれる。さらに、それぞれ、標準フックワイパアーム５４および大型フックワイパアーム６６の少なくとも一部を受け取るための第１のフック開口部３４３６および第２のフック開口部３４３８を画定するために、第１の中間壁区分３６２４ａは、外側壁区分３４２２から間隔を置かれ、第２の中間壁区分３６２４ｂは、内側壁区分３４２０から間隔を置かれる。
【０１３１】
図１５に示されるように、外側壁区分３４２２は、遠位開口部３４８６ｂおよび近位横開口部３４９４を画定する。第１の中間壁区分３６２４ａは、遠位開口部３４８６ａおよび近位横開口部３４８８を画定する。第１の中間壁区分３６２４ａの遠位開口部３４８６ａは、外側壁区分３４２２の遠位開口部３４８６ｂと位置合わせされる。開口部３４８６ａ、３４８６ｂは、協働して、サイドピンワイパアーム６４のピンを受け取り、サイドピンワイパアーム６４を第４のアダプタ３０５０に接続する。さらに、第１の中間壁区分３６２４ａの近位横開口部３４８８と外側壁区分３４２２の近位横開口部３４９４とは、サイドロックワイパアーム６２のピンを受け取るように位置合わせされる。
【０１３２】
上壁区分３５２４は、上側近位タブ３５７６を画定する第１の近位端スロット３４６４（図１７）および第２の近位端スロット３４６６を画定することができ、それらの各々は、近位端３４７０から遠位端３４７２に向かって縦方向に延びている。返し３４６８（図１７）が、上側近位タブ３５７６から下向きに延び、押しボタン１９ｍｍワイパアーム５２、押しボタン２２ｍｍアーム６０、またはｆｚワイパアーム６９内に提供される開口部内に係合する。
【０１３３】
上壁区分３５２４は、協働して上側遠位タブ３５７８を画定する第１の遠位スロット３４７４および第２の遠位スロット３４７６を画定することができる。突出部３４７８（図１７）が、上側遠位タブ３５７８から下向きに延び、ピンチタブワイパアーム５６内に提供される開口部の内側に係合する。
【０１３４】
図１７に示されるように、第１の中間壁区分３６２４ａは、分岐スロット３４３０を画定し、固定部分３４３２およびフィンガ部分３４３４を作成する。理解されるであろうように、スロット３４３０は、フィンガ部分３４３４が、外側壁区分３４２２の固定部分３４３２または内側壁区分３４２０に対して移動可能であることを可能にする。
【０１３５】
したがって、フィンガ部分３４３４は、底壁区分３４２４から離れるように選択的に曲がり、近位開口部３４８８の直径の瞬間的増加を可能にし、近位開口部３４８８よりわずかに大きい直径を有し得るサイドロックワイパアーム６２のピンの一部の通過を可能にすることができる。次いで、フィンガ部分３４３４が曲がっていない位置に戻ると、サイドロックワイパアーム６２のピンとのしっかりした嵌合が存在する。
【０１３６】
さらに、フィンガ部分３４３４は、内側壁区分３４２０に向かって、かつそれから離れるように選択的に曲がり、種々のワイパアームの一部の通過に適応することができる。次いで、フィンガ部分３４３４が曲がっていない位置に戻ると、ワイパアームおよび第４のアダプタ３０５０とのしっかりした嵌合が存在する。
【０１３７】
図１８−２０を参照すると、第５のアダプタ４０５０が示される。第５のアダプタ４０５０は、近位端４３７０および遠位端４３７２を有するワンピース本体であり得る。第５のアダプタ４０５０の近位端４３７０は、空洞４３７４に開かれている。第５のアダプタ４０５０は、後に説明されるであろう複数の取り付け要素を含み、前述のワイパアームの各々が第５のアダプタ４０５０と接続することを可能にする。
【０１３８】
第５のアダプタ４０５０は、押しボタン１９ｍｍワイパアーム５２、押しボタン２２ｍｍワイパアーム６０、およびｆｚワイパアーム６９と協働し、これらのワイパアーム５２、６０、６９の各々を第５のアダプタ４０５０に接続する上側近位タブ４６７６を含む。第５のアダプタ４０５０は、ピンチタブワイパアーム５６を第５のアダプタ４０５０と接続するためにピンチタブワイパアーム５６と協働する上側遠位タブ４６７８と、サイドロックワイパアーム６２を受け取る近位横開口部４５９４とも含む。
【０１３９】
第５のアダプタ４０５０は、サイドピンワイパアーム６４を第５のアダプタ４０５０に接続するためにサイドピンワイパアーム６４と協働する切り抜き４５８２および横遠位開口部４５８６ｂも含む。図２０に示されるように、第５のアダプタ４０５０は、大型フックワイパアーム６６と協働し、大型フックワイパアーム６６を第５のアダプタ４０５０と接続する第１の下側タブ４５９０をさらに含む。第５のアダプタ４０５０はまた、標準フックワイパアーム５４と協働し、標準フックワイパアーム５４を第５のアダプタ４０５０と接続する第２の下側タブ４５９２も含む。
【０１４０】
図示されるように、第５のアダプタ４０５０は、互いに間隔を置かれた内側壁区分４５２０および外側壁区分４５２２を含む。分岐底壁区分４８２４は、第５のアダプタ４０５０の片側で内側壁区分４５２０および外側壁区分４５２２に接触し、上壁区分４７２４は、反対側で内側壁区分４５２０と外側壁区分４５２２とを接続する。
【０１４１】
第１の中間壁区分４９２４ａおよび第２の中間壁区分４９２４ｂは、外側壁区分４５２２と内側壁区分４５２０との間に配置される。第１の中間壁区分４９２４ａと第２の中間壁区分４９２４ｂとは、互いに間隔を置かれ、内側壁区分４５２０および外側壁区分４５２２と略平行であり得る。空洞４３７４は、押しボタン１９ｍｍワイパアーム５２、標準フックワイパアーム５４、ピンチタブワイパアーム５６、押しボタン２２ｍｍワイパアーム６０、大型フックワイパアーム６６、およびｆｚワイパアーム６９を受け取るように適切に寸法を決定される。
【０１４２】
標準フックワイパアーム５４または大型フックワイパアーム６６のいずれかの少なくとも一部を受け取るためのフック開口部５３６を画定するように、上壁区分４７２４は、底壁区分４８２４から間隔を置かれ、第２の中間壁区分４９２４ｂは、内側壁区分４５２０から間隔を置かれる。
【０１４３】
外側壁区分４５２２は、遠位開口部４５８６ｂおよび近位横開口部４５９４を画定する。第１の中間壁区分４９２４ａは、遠位開口部４５８６ａおよび近位横開口部４５８８を画定する。第１の中間壁区分４９２４ａの遠位開口部４５８６ａは、外側壁区分４５２２の遠位開口部４５８６ｂと位置合わせされる。開口部４５８６ａ、４５８６ｂは、協働して、サイドピンワイパアーム６４のピンを受け取り、サイドピンワイパアーム６４を第５のアダプタ４０５０に接続する。さらに、第１の中間壁区分４９２４ａの近位横開口部４５８８と外側壁区分４５２２の近位横開口部４５９４とは、サイドロックワイパアーム６２のピンを受け取るように位置合わせされる。
【０１４４】
上壁区分４７２４は、各々が近位端４５７０から遠位端４５７２に向かって縦方向に延び、上側近位タブ４６７６を画定する第１の近位端スロット４５６４および第２の近位端スロット４５６６を画定することができる。返しが、上側近位タブ４６７６から下向きに延び、押しボタン１９ｍｍワイパアーム５２、押しボタン２２ｍｍアーム６０、またはｆｚワイパアーム６９内に提供される開口部内に係合する。
【０１４５】
上壁区分４７２４は、協働して上側遠位タブ４６７８を画定する第１の遠位スロット４５７４および第２の遠位スロット４７７６を画定することができる。突出部４７７８（図１９）が、上側遠位タブ４６７８から下向きに延び、ピンチタブワイパアーム５６内に提供される開口部の内側に係合する。
【０１４６】
第１の中間壁区分４９２４ａは、底壁区分４８２４の一部と少なくとも部分的に連続的であり得る。さらに、第１の中間壁区分４９２４ａは、上側部分４５３２および下側部分４５３４を作成するように、分岐スロット４５３０を画定することができる。理解されるであろうように、スロット４５３０は、第１の中間壁区分４９２４ａの選択的曲がりを可能にし、近位横開口部４５８８の直径の瞬間的増加を可能にし、近位横開口部４５８８よりわずかに大きい直径を有し得るサイドロックワイパアーム６２のピンの一部の通過を可能にする。次いで、第１の中間壁区分４９２４ａが曲がっていない位置に戻ると、サイドロックワイパアーム６２とのしっかりした嵌合が存在する。
【０１４７】
フロントガラスワイパアセンブリおよび異なる形状のワイパアームの取り付けを可能にするようにフロントガラスワイパアセンブリの一部として提供されるアダプタが、詳細に上で説明された。修正および改変が、前述の詳細な説明を熟読および理解すると、当業者に想起されるであろう。しかしながら、本発明は、上で説明される実施形態のみに限定されない。代わりに、本発明は、添付の請求項およびその均等物によって広義に定義される。
【手続補正３】
【補正対象書類名】図面
【補正対象項目名】全図
【補正方法】変更
【補正の内容】
【図１】
2021514325.tif 000032
【図２Ａ】
2021514325.tif 000033
【図２Ｂ】
2021514325.tif 000034
【図２Ｃ】
2021514325.tif 000035
【図２Ｄ】
2021514325.tif 000036
【図２Ｅ】
2021514325.tif 000037
【図２Ｆ】
2021514325.tif 000038
【図２Ｇ】
2021514325.tif 000039
【図２Ｈ】
2021514325.tif 000040
【図２Ｉ】
2021514325.tif 000041
【図２Ｊ】
2021514325.tif 000042
【図３】
2021514325.tif 000043
【図４】
2021514325.tif 000044
【図５】
2021514325.tif 000045
【図６】
2021514325.tif 000046
【図７】
2021514325.tif 000047
【図８】
2021514325.tif 000048
【図９】
2021514325.tif 000049
【図１０】
2021514325.tif 000050
【図１１】
2021514325.tif 000051
【図１２】
2021514325.tif 000052
【図１３】
2021514325.tif 000053
【図１４】
2021514325.tif 000054
【図１５】
2021514325.tif 000055
【図１６】
2021514325.tif 000056
【図１７】
2021514325.tif 000057
【図１８】
2021514325.tif 000058
【図１９】
2021514325.tif 000059
【図２０】
2021514325.tif 000060
【国際調査報告】
2021514325.tif 000061
2021514325.tif 000062
2021514325.tif 000063